(57)【特許請求の範囲】
【請求項１】
所定の共振周波数と前記所定の共振周波数よりも高い少なくとも１つのスプリアス周波数とを有し、入力された交流電圧を変圧して変圧電圧を生成する圧電トランスと、
前記圧電トランスに入力すべき当該交流電圧を生成する駆動回路と、
前記変圧電圧に基づいて出力電圧を生成する電圧出力部と、
前記出力電圧を検知する電圧検出部と、
前記電圧検出部による検知結果に基づいて、前記交流電圧の周波数を、前記スプリアス周波数よりも高い第１の周波数範囲と、前記スプリアス周波数と前記所定の共振周波数との間の第２の周波数範囲とにおいて前記出力電圧を目標電圧に追従させるように、前記圧電トランスに対する駆動周波数としてディジタル演算により制御する周波数制御部と
を備え、
前記周波数制御部は、
前記出力電圧が前記目標電圧より低い電圧となる前記第１の周波数範囲の下限よりも高い周波数から前記駆動周波数の制御を開始し、
前記出力電圧が前記目標電圧より低い場合に前記駆動周波数を段階的に低くし、
前記駆動周波数が前記第１の周波数範囲の下限に達したとき、前記駆動周波数を、前記スプリアス周波数を含む所定周波数範囲をスキップさせて前記第２の周波数範囲内の第１の切替周波数に変化させ、
前記駆動周波数を、前記第１の切替周波数から更に段階的に低くする
ことを特徴とする電源装置。
【請求項２】
請求項１に記載の電源装置であって、前記周波数制御部は、前記駆動周波数が前記第２の周波数範囲内の第２の切替周波数に到達したときに、前記駆動周波数が前記スプリアス周波数を含む所定周波数範囲をスキップするように前記駆動周波数を前記第１の周波数範囲内の第３の切替周波数に変化させることを特徴とする電源装置。
【請求項３】
請求項２に記載の電源装置であって、前記第２の切替周波数は、前記第１の切替周波数とは異なることを特徴とする電源装置。
【請求項４】
請求項３に記載の電源装置であって、前記第２の切替周波数は、前記第１の切替周波数よりも高いことを特徴とする電源装置。
【請求項５】
請求項２から４のうちのいずれか１項に記載の電源装置であって、前記第３の切替周波数は、前記第１の周波数範囲の下限と一致することを特徴とする電源装置。
【請求項６】
請求項２から４のうちのいずれか１項に記載の電源装置であって、前記第３の切替周波数は、前記第１の周波数範囲の下限よりも高いことを特徴とする電源装置。
【請求項７】
請求項１から６のうちのいずれか１項に記載の電源装置であって、前記周波数制御部は、前記第１の周波数範囲の上限を始点として前記駆動周波数を制御することを特徴とする電源装置。
【請求項８】
請求項１から７のうちのいずれか１項に記載の電源装置であって、前記第１の切替周波数のデータを格納するレジスタをさらに備えることを特徴とする電源装置。
【請求項９】
請求項２から６のうちのいずれか１項に記載の電源装置であって、前記第２の切替周波数及び第３の切替周波数のデータを格納するレジスタをさらに備えることを特徴とする電源装置。
【請求項１０】
請求項１から９のうちのいずれか１項に記載の電源装置であって、
前記所定周波数範囲は、前記第１の周波数範囲の下限と前記第２の周波数範囲の上限との間に複数存在し、
前記周波数制御部は、前記駆動周波数が前記複数の所定周波数範囲の各々をスキップするように前記駆動周波数を変化させる
ことを特徴とする電源装置。
【請求項１１】
請求項１から１０のうちのいずれか１項に記載の電源装置であって、
前記駆動周波数に対応するスイッチング周波数を有する駆動パルスを生成するパルス生成回路をさらに備え、
前記駆動回路は、前記駆動パルスに応じたスイッチング動作により前記交流電圧を発生させるスイッチング素子を有する
ことを特徴とする電源装置。
【請求項１２】
請求項１１に記載の電源装置であって、
前記パルス生成回路は、前記周波数制御部により指定されたＮビットの値（Ｎは２以上の整数）を基に基準クロックを分周することにより前記駆動パルスを生成し、
前記周波数制御部は、前記Ｎビットの値を変化させることで前記駆動周波数を変化させる
ことを特徴とする電源装置。
【請求項１３】
請求項１２に記載の電源装置であって、
前記Ｎビットの値のうち下位Ｍビットの値（ＭはＮ未満の正整数）を積算し、当該積算した値を誤差として格納する誤差保持回路をさらに備え、
前記パルス生成回路は、前記Ｎビットの値のうち上位Ｋビットの値（Ｋ＝Ｎ−Ｍ）を用いて前記基準クロックを分周することにより前記駆動パルスを生成し、前記誤差がしきい値を超過したときに前記上位Ｋビットの値を一時的に増加させ、
前記誤差保持回路は、前記誤差が前記しきい値を超過したときに、当該誤差を前記しきい値未満の値に変更する、
ことを特徴とする電源装置。
【請求項１４】
請求項１３に記載の電源装置であって、前記上位Ｋビットの値は、分周比として使用されることを特徴とする電源装置。
【請求項１５】
請求項１３または１４に記載の電源装置であって、
前記誤差保持回路は、前記誤差が前記しきい値を超過したときに前記誤差をオーバフローさせ、
前記パルス生成回路は、前記誤差のオーバフローに応じて前記上位Ｋビットの値を一時的に増加させる
ことを特徴とする電源装置。
【請求項１６】
請求項１から１５のうちのいずれか１項に記載の電源装置であって、
前記電圧検出部による当該検知結果を前記目標電圧に対応する目標値と比較し、その比較結果を前記周波数制御部に出力する比較器をさらに備え、
前記周波数制御部は、前記比較結果に基づいて、前記出力電圧を目標電圧に追従させる方向へ前記駆動周波数を変化させる
ことを特徴とする電源装置。
【請求項１７】
画像形成ユニットと、
請求項１乃至１６の何れかに記載の電源装置と
を備え、
前記電源装置で生成した電圧を前記画像形成ユニットに供給する
ことを特徴とする画像形成装置。
【請求項１８】
所定の共振周波数と前記所定の共振周波数よりも高い少なくとも１つのスプリアス周波数とを有し、入力された交流電圧を変圧して変圧電圧を生成する圧電トランスと、前記圧電トランスに入力すべき当該交流電圧を生成する駆動回路と、前記変圧電圧に基づいて出力電圧を生成する電圧出力部と、前記出力電圧を検知する電圧検出部と、前記電圧検出部による検知結果に基づいて、前記交流電圧の周波数を、前記スプリアス周波数よりも高い第１の周波数範囲と、前記スプリアス周波数と前記所定の共振周波数との間の第２の周波数範囲とにおいて前記出力電圧を目標電圧に追従させるように、前記圧電トランスに対する駆動周波数としてディジタル演算により制御する周波数制御部とを備えた電源装置における前記圧電トランスの制御方法であって、
前記出力電圧が前記目標電圧より低い電圧となる前記第１の周波数範囲の下限よりも高い周波数から前記駆動周波数の制御を開始するステップと、
前記出力電圧が前記目標電圧より低い場合に前記駆動周波数を段階的に低くするステップと、
前記駆動周波数が前記第１の周波数範囲の下限に到達したか否かを判定するステップと、
前記駆動周波数が前記第１の周波数範囲の下限に達したとき、前記駆動周波数を、前記スプリアス周波数を含む所定周波数範囲をスキップさせて前記第２の周波数範囲内の第１の切替周波数に変化させるステップと、
前記駆動周波数を、前記第１の切替周波数から更に段階的に低くするステップ
を備えることを特徴とする圧電トランスの制御方法。
【請求項１９】
請求項１８に記載の圧電トランスの制御方法であって、
前記駆動周波数が前記第２の周波数範囲内の第２の切替周波数に到達したか否かを判定するステップと、
前記駆動周波数が前記第２の周波数範囲内の第２の切替周波数に到達したときに、前記駆動周波数が前記スプリアス周波数を含む所定周波数範囲をスキップするように前記駆動周波数を前記第１の周波数範囲内の第３の切替周波数に変化させるステップと
を備えることを特徴とする圧電トランスの制御方法。
【発明の詳細な説明】
【技術分野】
【０００１】
本発明は、圧電トランスを駆動して電圧を生成する電源装置と、この電源装置を備えた画像形成装置と、圧電トランスの制御方法とに関するものである。
【背景技術】
【０００２】
圧電トランス（ｐｉｅｚｏｅｌｅｃｔｒｉｃ  ｔｒａｎｓｄｕｃｅｒ）は、入力された交流電圧を変圧して出力する電圧変換素子である。圧電トランスは、たとえば、液晶ディスプレイなどの冷陰極管に供給すべき駆動電圧を生成したり、電子写真方式で動作する画像形成装置の転写ローラや現像ローラに供給すべき電圧を生成したりする電源装置に組み込まれて広く使用されている。圧電トランスの出力特性（共振特性）は、出力電圧の供給先である冷陰極管や転写ローラなどの負荷のインピーダンス変動などに応じて変化するので、出力電圧を安定化させるために、圧電トランスに入力すべき交流電圧の周波数（駆動周波数）を負荷のインピーダンス変動などに応じて制御する必要がある。この駆動周波数の制御は、電圧制御発振器（ＶＣＯ：Ｖｏｌｔａｇｅ−Ｃｏｎｔｒｏｌｌｅｄ  Ｏｓｃｉｌｌａｔｏｒ）などのアナログ回路により実現することが可能である。ＶＣＯを使用する電源装置は、たとえば、特開２００７−１８９８８０号公報（特許文献１）に開示されている。
【０００３】
しかしながら、特許文献１に開示されている電源装置では、アナログ方式で駆動周波数を制御するのでアナログ回路の部品点数が多いという問題がある。また、圧電トランスは、昇圧に使用される共振周波数ｆ０と、この共振周波数ｆ０とは別の不要な共振周波数（以下、スプリアス周波数と呼ぶ。）とを有している。スプリアス周波数及びその近辺の入力電圧に対しては、圧電トランスを構成する圧電振動子（たとえば、圧電セラミック板）に異常発熱が生じることがあるので、この種の異常発熱を回避するために、スプリアス周波数を避けた駆動周波数制御を行うことが望ましい。しかしながら、ＶＣＯを用いたアナログ回路では、スプリアス周波数を避けた駆動周波数制御をフレキシブルな手順で行うことが難しいという問題がある。
【０００４】
そこで、上記問題を解決するために、近年、ディジタル回路を用いた駆動周波数制御が提案されている。たとえば、特開２０１０−１４８３２１号公報（特許文献２）には、圧電トランスに対する駆動周波数制御をディジタル方式で行う電源装置と、この電源装置を搭載した画像形成装置とが開示されている。
【０００５】
特許文献２に開示されている電源装置は、スプリアス周波数と共振周波数ｆ０との間に開始周波数ｆｓｔａｒｔ（ｆ０＜ｆｓｔａｒｔ）を設定し、この開始周波数ｆｓｔａｒｔと共振周波数ｆ０との間の周波数範囲で駆動周波数を制御することで、スプリアス周波数を回避している。
【先行技術文献】
【特許文献】
【０００６】
【特許文献１】特開２００７−１８９８８０号公報
【特許文献２】特開２０１０−１４８３２１号公報（図５，段落００３４など）
【発明の概要】
【発明が解決しようとする課題】
【０００７】
しかしながら、従来の電源装置では、開始周波数付近の出力電圧の振幅は十分に低いとはいえないので、この付近の周波数を用いて圧電トランスが駆動されると、電源装置から不要な出力電圧（バイアス）が画像形成装置内の転写ローラや現像ローラなどに供給されるという問題がある。たとえば、圧電トランスの昇圧比（圧電トランスの出力電圧の振幅と入力電圧の振幅との比率）は温度に依存し、低温時の昇圧比は低いので、画像形成装置の電源投入後は、しばらくの間、圧電トランスをアイドリング状態で駆動してエージングを行うことがある。これにより圧電トランスの温度が上昇し、圧電トランスの特性を安定化させることができる。このエージングの実行中に開始周波数付近の出力電圧が転写バイアスとして転写ローラに供給されると、転写ローラは、感光ドラムの表面に付着している残留トナーを当該感光ドラムから搬送ベルト（転写ベルト）に転移させてしまう。搬送ベルトに転移した残留トナーは、クリーニング部材により搬送ベルトから除去されてトナー回収容器に廃トナーとして回収される。このため、開始周波数付近の出力電圧の振幅が十分に小さくないと、トナー回収容器の交換回数が多くなるが、このことは、近年の地球環境に配慮した製品設計において問題となっている。
【０００８】
上記に鑑みて本発明の目的は、圧電トランスに対してスプリアス周波数を避けた駆動周波数制御を行いつつ振幅の小さい電圧を供給することができる電源装置、画像形成装置及び圧電トランスの制御方法を提供することである。
【課題を解決するための手段】
【０００９】
本発明の第１の態様による電源装置は、所定の共振周波数と前記所定の共振周波数よりも高い少なくとも１つのスプリアス周波数とを有し、入力された交流電圧を変圧して変圧電圧を生成する圧電トランスと、前記圧電トランスに入力すべき当該交流電圧を生成する駆動回路と、前記昇圧電圧に基づいて出力電圧を生成する電圧出力部と、前記出力電圧を検知する電圧検出部と、前記電圧検出部による検知結果に基づいて、前記交流電圧の周波数を、前記スプリアス周波数よりも高い第１の周波数範囲と、前記スプリアス周波数と前記所定の共振周波数との間の第２の周波数範囲とにおいて前記出力電圧を目標電圧に追従させるように、前記圧電トランスに対する駆動周波数としてディジタル演算により制御する周波数制御部とを備え、前記周波数制御部は、前記出力電圧が前記目標電圧より低い電圧となる前記第１の周波数範囲の下限よりも高い周波数から前記駆動周波数の制御を開始し、前記出力電圧が前記目標電圧より低い場合に前記駆動周波数を段階的に低くし、
前記駆動周波数が前記第１の周波数範囲の下限に達したとき、前記駆動周波数を、前記スプリアス周波数を含む所定周波数範囲をスキップさせて前記第２の周波数範囲内の第１の切替周波数に変化させ、前記駆動周波数を、前記第１の切替周波数から更に段階的に低くすることを特徴とする。
【００１０】
本発明の第２の態様による画像形成装置は、画像形成ユニットと、前記画像形成ユニットに供給すべき電圧を生成する前記第１の態様による電源装置とを備えることを特徴とする。
【００１１】
本発明の第３の態様による圧電トランスの制御方法は、所定の共振周波数と前記所定の共振周波数よりも高い少なくとも１つのスプリアス周波数とを有し、入力された交流電圧を変圧して変圧電圧を生成する圧電トランスと、前記圧電トランスに入力すべき当該交流電圧を生成する駆動回路と、前記変圧電圧に基づいて出力電圧を生成する電圧出力部と、前記出力電圧を検知する電圧検出部と、前記電圧検出部による検知結果に基づいて、前記交流電圧の周波数を、前記スプリアス周波数よりも高い第１の周波数範囲と、前記スプリアス周波数と前記所定の共振周波数との間の第２の周波数範囲とにおいて前記出力電圧を目標電圧に追従させるように、前記圧電トランスに対する駆動周波数としてディジタル演算により制御する周波数制御部とを備えた電源装置における前記圧電トランスの制御方法であって、前記出力電圧が前記目標電圧より低い電圧となる前記第１の周波数範囲の下限よりも高い周波数から前記駆動周波数の制御を開始するステップと、前記出力電圧が前記目標電圧より低い場合に前記駆動周波数を段階的に低くするステップと、前記駆動周波数が前記第１の周波数範囲の下限に到達したか否かを判定するステップと、前記駆動周波数が前記第１の周波数範囲の下限に到達したときに、前記駆動周波数を、前記スプリアス周波数を含む所定周波数範囲をスキップさせて前記第２の周波数範囲内の第１の切替周波数に変化させるステップと、前記駆動周波数を、前記第１の切替周波数から更に段階的に低くするステップを備えることを特徴とする。
【発明の効果】
【００１２】
本発明によれば、圧電トランスに対してスプリアス周波数を避けた駆動周波数制御を行いつつ振幅の小さな低電圧を供給することができる。
【図面の簡単な説明】
【００１３】
【図１】本発明に係る実施の形態１の画像形成装置の構成を概略的に示す図である。
【図２】実施の形態１の制御回路の概略構成を示す機能ブロック図である。
【図３】実施の形態１の高圧電源装置の構成の一部を示す機能ブロック図である。
【図４】実施の形態１の高圧制御回路の概略構成を示す機能ブロック図である。
【図５】実施の形態１の高圧制御部の基本構成を概略的に示す図である。
【図６】実施の形態１の転写バイアス発生回路の基本構成の一例を概略的に示す図である。
【図７】実施の形態１の転写バイアス発生回路を構成するパワーＭＯＳＦＥＴのドレイン電極での電圧波形Ｖｂと、圧電トランスの１次側電極での電圧波形Ｖａとを例示する図である。
【図８】実施の形態１の圧電トランスに入力される交流電圧の周波数（駆動周波数）と出力電圧との関係（出力特性）の一例を表すグラフである。
【図９】実施の形態１の１９ビットレジスタに格納される分周比データのフォーマットを示す図である。
【図１０】実施の形態１のテーブルレジスタにおける入力値と出力値との第１の対応関係を示す図である。
【図１１】実施の形態１のテーブルレジスタにおける入力値と出力値との第２の対応関係を示す図である。
【図１２】実施の形態１の駆動周波数に対応する出力電圧の値を例示する図（テーブル）である。
【図１３】実施の形態１の駆動周波数に対応する出力電圧の値を例示する図（テーブル）である。
【図１４】実施の形態１の演算器による制御方法の手順を概略的に示すフローチャートである。
【図１５】本発明に係る実施の形態２の高圧制御部の基本構成を示す図である。
【図１６】実施の形態２の圧電トランスの出力特性の一例を示す図である。
【図１７】実施の形態２の演算器による制御方法の手順を概略的に示すフローチャートである。
【図１８】本発明に係る実施の形態３の高圧制御部の基本構成を示す図である。
【図１９】実施の形態３の圧電トランスの出力特性の一例を示す図である。
【図２０】実施の形態３の演算器による制御方法の手順を概略的に示すフローチャートである。
【発明を実施するための形態】
【００１４】
以下、本発明に係る実施の形態について図面を参照しつつ説明する。
【００１５】
実施の形態１．
図１は、本発明に係る実施の形態１の画像形成装置１００の構成を概略的に示す図である。
【００１６】
図１に示されるように、画像形成装置１００は、筐体１０１の中に、被転写材である記録媒体１１０，…，１１０を収容するカセット１１３と、このカセット１１３から記録媒体１１０を１枚ずつ取り出すホッピングローラ１１４と、カセット１１３から取り出された記録媒体１１０を案内するガイド１１５と、一対のレジストローラ１１６，１１７と、記録媒体１１０を検出する媒体検出センサ１４０と、記録媒体１１０を載せて搬送する転写ベルト１０８と、４色（ブラック、イエロー、マゼンタ及びシアン）用の現像器（画像形成ユニット）１０２Ｋ，１０２Ｙ，１０２Ｍ，１０２Ｃと、これら現像器１０２Ｋ，１０２Ｙ，１０２Ｍ，１０２Ｃにそれぞれ着脱自在に取り付けられたトナーカートリッジ（現像剤収容体）１０４Ｋ，１０４Ｙ，１０４Ｍ，１０４Ｃとを備えている。トナーカートリッジ１０４Ｋ，１０４Ｙ，１０４Ｍ，１０４Ｃは、ブラック、イエロー、マゼンタ及びシアンの現像剤（トナー）をそれぞれ収容している。
【００１７】
ホッピングローラ１１４と一対のレジストローラ１１６，１１７とは、図示されない駆動源から動力の伝達を受けて回転することにより、カセット１１３から取り出された記録媒体１１０を媒体検出センサ１４０を介して転写ベルト（搬送ベルト）１０８の上に所定のタイミングで送り出す。ここで、媒体検出センサ１４０は、記録媒体１１０と接触した状態であるいは非接触の状態で記録媒体１１０の通過を検知し、その検知結果を制御回路２００に与える。なお、カセット１１３は、画像形成装置１００に着脱自在に取り付けられており、複数枚の記録媒体１１０，…，１１０を積層状態で収容することができる。記録媒体１１０としては、たとえば、用紙、プラスチックフィルム、合成紙あるいは布などのシート状のものが挙げられる。
【００１８】
また、画像形成装置１００は、転写ベルト１０８を駆動する駆動ローラ１０６と、転写ベルト１０８に従動する従動ローラ１０７と、現像器１０２Ｋ，１０２Ｙ，１０２Ｍ，１０２Ｃにそれぞれ対応する転写ローラ１０５Ｋ，１０５Ｙ，１０５Ｍ，１０５Ｃとを備えている。現像器１０２Ｋ，１０２Ｙ，１０２Ｍ，１０２Ｃは、転写ベルト１０８の直上で当該転写ベルト１０８の移動方向に沿って配列されている。また、転写ベルト１０８は、駆動ローラ１０６と従動ローラ１０７とに張架されており、駆動ローラ１０６は、図示されない駆動源から動力の伝達を受けて反時計周りに回転することにより転写ベルト１０８を移動させる。このため、転写ベルト１０８に載せられた記録媒体１１０は、現像器１０２Ｋ，１０２Ｙ，１０２Ｍ，１０２Ｃの直下を順番に通過することとなる。
【００１９】
現像器１０２Ｋ，１０２Ｙ，１０２Ｍ，１０２Ｃは、転写ベルト１０８を介して転写ローラ１０５Ｋ，１０５Ｙ，１０５Ｍ，１０５Ｃとそれぞれ対向する位置に配置されている。ブラック画像用の現像器１０２Ｋは、感光体ドラム１３２Ｋと、この感光体ドラム１３２Ｋの表面を一様に帯電させる帯電ローラ１３６Ｋと、感光体ドラム１３２Ｋの表面に静電潜像を形成するための露光を行うＬＥＤヘッド（露光部）１０３Ｋと、現像剤担持体である現像ローラ１３４Ｋと、現像ブレード１３５Ｋと、トナーカートリッジ１０４Ｋから供給されたブラック現像剤を現像ローラ１３４Ｋに供給する供給ローラ１３３Ｋと、クリーニングブレード１３７Ｋとを有している。現像ブレード１３５Ｋは、現像ローラ１３４Ｋの表面上の現像剤層（トナー層）を薄層化するものである。感光体ドラム１３２Ｋの表面のうち静電潜像が形成された部分が現像ローラ１３４Ｋにまで到達すると、感光体ドラム１３２Ｋ上の静電潜像と現像ローラ１３４Ｋとの電位差により、現像剤が感光体ドラム１３２Ｋ上に移動して感光体ドラム１３２Ｋ上に現像剤像を形成する。その後、感光体ドラム１３２Ｋ上の現像剤像は、転写ローラ１０５Ｋによって記録媒体１１０上に転写される。このとき、転写ローラ１０５Ｋには転写バイアスが印加されるので、転写ローラ１０５Ｋと感光体ドラム１３２Ｋとの間にニップ（挟持）された記録媒体１１０上に現像剤が転写される。クリーニングブレード１３７Ｋは、現像剤の転写後、感光体ドラム１３２Ｋ上に転写されずに残存した現像剤を感光体ドラム１３２Ｋから掻き取る機能を有している。
【００２０】
他の現像器１０２Ｙ，１０２Ｍ，１０２Ｃも、現像器１０２Ｋと同様の構成を有している。すなわち、イエロー画像用の現像器１０２Ｙは、感光体ドラム１３２Ｙと、この感光体ドラム１３２Ｋの表面を一様に帯電させる帯電ローラ１３６Ｙと、感光ドラム１３２Ｙの表面を露光するＬＥＤヘッド（露光部）１０３Ｙと、現像剤担持体である現像ローラ１３４Ｙと、現像ブレード１３５Ｙと、トナーカートリッジ１０４Ｙから供給されたイエロー現像剤を現像ローラ１３４Ｙに供給する供給ローラ１３３Ｙと、クリーニングブレード１３７Ｙとを有している。また、マゼンタ画像用の現像器１０２Ｍは、感光体ドラム１３２Ｍと、この感光体ドラム１３２Ｍの表面を一様に帯電させる帯電ローラ１３６Ｍと、感光体ドラム１３２Ｍの表面を露光するＬＥＤヘッド（露光部）１０３Ｍと、現像剤担持体である現像ローラ１３４Ｍと、現像ブレード１３５Ｍと、トナーカートリッジ１０４Ｍから供給されたマゼンタ現像剤を現像ローラ１３４Ｍに供給する供給ローラ１３３Ｍと、クリーニングブレード１３７Ｍとを有している。そして、シアン画像用の現像器１０２Ｃは、感光体ドラム１３２Ｃと、この感光体ドラム１３２Ｃの表面を一様に帯電させる帯電ローラ１３６Ｃと、感光体ドラム１３２Ｃの表面を露光するＬＥＤヘッド（露光部）１０３Ｃと、現像剤担持体である現像ローラ１３４Ｃと、現像ブレード１３５Ｃと、トナーカートリッジ１０４Ｃから供給されたシアン現像剤を現像ローラ１３４Ｃに供給する供給ローラ１３３Ｃと、クリーニングブレード１３７Ｃとを有している。
【００２１】
なお、感光体ドラム１３２Ｋ，１３２Ｙ，１３２Ｍ，１３２Ｃは、たとえば、アルミニウムなどの金属パイプ（導電性基体）と、この金属パイプの周りに形成された有機感光体（ＯＰＣ：Ｏｒｇａｎｉｃ  Ｐｈｏｔｏｃｏｎｄｕｃｔｏｒ）などの光導電層とで構成されている。
【００２２】
画像形成装置１００は、さらに定着器１１８とガイド１１９とを備えている。定着器１１８は、記録媒体１１０上に転写された現像剤像に圧力と熱とを印加することにより現像剤像を溶かして記録媒体１１０に定着させる機能を有する。定着器１１８は、円管状の定着ローラ１１８Ａと、弾性体材料からなる表面層を持つ加圧ローラ１１８Ｂとを有している。この定着ローラ１１８Ａの内部にはハロゲンランプなどの定着器ヒータ（熱源）１５１が配置されている。定着器ヒータ１５１には、図示されない電源によりバイアス電圧が印加される。サーミスタ１５０は、定着ローラ１１８Ａの表面温度を検出し、その検出結果を制御回路２００に与える非接触型または接触型の温度検出センサである。制御回路２００は、サーミスタ１５０による検出結果に基づいて定着器ヒータ１５１を動作を制御することにより定着ローラ１１８Ａの温度を制御することができる。ガイド１１９は、定着器１１８から送り出された記録媒体１１０をフェイスダウンの状態でトレー１２０に排出する。
【００２３】
画像形成装置１００は、さらにクリーニングブレード１１１を備えている。クリーニングブレード１１１は、転写ベルト１０８の表面に付着した現像剤（トナー）を掻き落としてクリーナー容器１１２に収容する機能を有している。ここで、転写ベルト１０８の表面に付着する現像剤の量が多いと、クリーナー容器１１２の交換回数が多くなる。
【００２４】
画像形成装置１００は、当該画像形成装置１００の全体動作を制御する制御回路２００を備えている。図２は、この制御回路２００の概略構成を示す機能ブロック図である。
【００２５】
図２に示されるように、制御回路２００は、ホストインタフェース部２５０、画像処理部２５１、ＬＥＤヘッドインタフェース部２５２、プリンタエンジン制御部２５３及び高圧電源装置３０１を備えて構成される。高圧電源装置３０１は、高圧制御回路２６０、帯電バイアス発生部２６１、現像バイアス発生部２６２及び転写バイアス発生部２６３を有している。
【００２６】
ホストインタフェース部２５０は、図示されない外部機器（ホスト）と画像処理部２５１との間の通信インタフェース機能を有する。当該外部機器からホストインタフェース部２５０を介して画像処理部２５１にＰＤＬ（Ｐａｇｅ  Ｄｅｓｃｒｉｐｔｉｏｎ  Ｌａｎｇｕａｇｅ：ページ記述言語）などのフォーマットで記述された印刷データが入力されると、画像処理部２５１は、入力された印刷データに基づいてビットマップデータ（画像データ）を生成し、このビットマップデータをＬＥＤヘッドインタフェース部２５２とプリンタエンジン制御部２５３とに出力する。ＬＥＤヘッドインタフェース部２５２は、プリンタエンジン制御部２５３からの制御を受けて動作し、ビットマップデータに基づいてブラック、イエロー、マゼンタ及びシアンにそれぞれ対応した４チャネルの駆動信号を出力することができる。ＬＥＤヘッド１０３Ｋ，１０３Ｙ，１０３Ｍ，１０３Ｃは、ＬＥＤヘッドインタフェース部２５２から供給された駆動信号に応じて発光する。
【００２７】
プリンタエンジン制御部２５３は、高圧制御回路２６０に各種制御信号を供給することにより高圧制御回路２６０の動作を制御する。たとえば、プリンタエンジン制御部２５３は、媒体検出センサ１４０による検出結果に基づいて、帯電バイアス、現像バイアス及び転写バイアスなどの値に関する制御信号を高圧制御回路２６０に供給することができる。
【００２８】
帯電バイアス発生部２６１は、高圧制御回路２６０からの制御を受けて動作し、現像器１０２Ｋ，１０２Ｙ，１０２Ｍ，１０２Ｃ内の帯電ローラ１３６Ｋ，１３６Ｙ，１３６Ｍ，１３６Ｃに供給すべき帯電バイアス（直流電圧）を個別に生成する。また、現像バイアス発生部２６２は、高圧制御回路２６０からの制御を受けて動作し、現像器１０２Ｋ，１０２Ｙ，１０２Ｍ，１０２Ｃ内の現像ローラ１３４Ｋ，１３４Ｙ，１３４Ｍ，１３４Ｃに供給すべき現像バイアス（直流電圧）を個別に生成する。そして、転写バイアス発生部２６３は、高圧制御回路２６０からの制御を受けて動作し、転写ローラ１０５Ｋ，１０５Ｙ，１０５Ｍ，１０５Ｃに供給すべき転写バイアス（直流電圧）を個別に生成する。ここで、高圧制御回路２６０は、媒体検出センサ１４０による検出結果に基づいて、転写ローラ１０５Ｋ，１０５Ｙ，１０５Ｍ，１０５Ｃに転写バイアスを発生すべきタイミングを個別に制御することができる。
【００２９】
また、プリンタエンジン制御部２５３は、図１のホッピングローラ１１４を回転させるホッピングモータ２５４の動作と、図１のレジストローラ１１６，１１７を回転させるレジストモータ２５５の動作と、駆動ローラ１０６を回転させるベルトモータ２５６の動作とを制御することができる。さらに、プリンタエンジン制御部２５３は、定着器ヒータ１５１に供給すべきバイアス電圧を生成する定着器ヒータ用モータ２５７の動作を制御し、感光体ドラム１３２Ｋ，１３２Ｙ，１３２Ｍ，１３２Ｃを回転させるドラムモータ２５８の動作をも制御することができる。ここで、ドラムモータ２５８は、感光体ドラム１３２Ｋ，１３２Ｙ，１３２Ｍ，１３２Ｃを個別に回転させる４つの回転駆動手段からなる。定着器ヒータ１５１の動作は、サーミスタ１５０により検知された温度に基づいてプリンタエンジン制御部２５３によって制御される。
【００３０】
図３は、高圧電源装置３０１の構成の一部を示す機能ブロック図である。図３に示されるように、高圧電源装置３０１は、水晶発振器４１９と、ＤＣ電源（直流電圧電源）３０２と、高圧制御回路２６０と、４チャネル分の転写バイアス発生回路３５０Ｋ，３５０Ｙ，３５０Ｍ，３５０Ｃとを有している。転写バイアス発生回路３５０Ｋ，３５０Ｙ，３５０Ｍ，３５０Ｃは、図２の転写バイアス発生部２６３を構成する。なお、図２の帯電バイアス発生部２６１と現像バイアス発生部２６２とは、図３に示されていない。
【００３１】
転写バイアス発生回路３５０Ｋは、ブラック画像用の転写ローラ１０５Ｋを含む負荷３０６Ｋに供給すべき転写バイアスを発生する回路であり、転写バイアス発生回路３５０Ｙは、イエロー画像用の転写ローラ１０５Ｙを含む負荷３０６Ｙに供給すべき転写バイアスを発生する回路であり、転写バイアス発生回路３５０Ｍは、マゼンタ画像用の転写ローラ１０５Ｍを含む負荷３０６Ｍに供給すべき転写バイアスを発生する回路であり、そして、転写バイアス発生回路３５０Ｃは、シアン画像用の転写ローラ１０５Ｃを含む負荷３０６Ｃに供給すべき転写バイアスを発生する回路である。これら転写バイアス発生回路３５０Ｋ，３５０Ｙ，３５０Ｍ，３５０Ｃは、ＤＣ電源３０２から供給された直流電圧を用いて、高圧制御回路２６０の出力端子ＯＵＴ＿Ｋ，ＯＵＴ＿Ｙ，ＯＵＴ＿Ｍ，ＯＵＴ＿Ｃからそれぞれ供給された駆動パルス３１２Ｋ，３１２Ｙ，３１２Ｍ，３１２Ｃに応じて転写バイアスを発生させる。
【００３２】
ブラック画像用の転写バイアス発生回路３５０Ｋは、図３に示されるように、圧電セラミックス板などの圧電振動子を有する圧電トランス３０４Ｋと、この圧電トランス３０４Ｋの１次側電極に供給すべき交流電圧を生成する圧電トランス駆動回路３０３Ｋと、圧電トランス３０４Ｋの２次側電極から出力された昇圧電圧を整流してほぼ直流電圧を生成する整流回路３０５Ｋと、整流回路３０５Ｋの出力電圧をアナログ電圧信号３１４Ｋに変換する電圧変換回路３０７Ｋとを有している。整流回路３０５Ｋの出力電圧は、転写バイアスとして負荷３０６Ｋに供給される。
【００３３】
他の転写バイアス発生回路３５０Ｙ，３５０Ｍ，３５０Ｃも、転写バイアス発生回路３５０Ｋと同様の構成を有している。すなわち、転写バイアス発生回路３５０Ｙは、圧電トランス３０４Ｙと、この圧電トランス３０４Ｙの１次側電極に供給すべき交流電圧を生成する圧電トランス駆動回路３０３Ｙと、圧電トランス３０４Ｙの２次側電極から出力された昇圧電圧を整流してほぼ直流電圧を生成する整流回路３０５Ｙと、整流回路３０５Ｙの出力電圧をアナログ電圧信号３１４Ｙに変換する電圧変換回路３０７Ｙとを有している。また、転写バイアス発生回路３５０Ｍは、圧電トランス３０４Ｍと、この圧電トランス３０４Ｍの１次側電極に供給すべき交流電圧を生成する圧電トランス駆動回路３０３Ｍと、圧電トランス３０４Ｍの２次側電極から出力された昇圧電圧を整流してほぼ直流電圧を生成する整流回路３０５Ｍと、整流回路３０５Ｍの出力電圧をアナログ電圧信号３１４Ｍに変換する電圧変換回路３０７Ｍとを有している。そして、転写バイアス発生回路３５０Ｃは、圧電トランス３０４Ｃと、この圧電トランス３０４Ｃの１次側電極に供給すべき交流電圧を生成する圧電トランス駆動回路３０３Ｃと、圧電トランス３０４Ｃの２次側電極から出力された昇圧電圧を整流してほぼ直流電圧を生成する整流回路３０５Ｃと、整流回路３０５Ｃの出力電圧をアナログ電圧信号３１４Ｃに変換する電圧変換回路３０７Ｃとを有している。なお、上記整流回路３０５Ｋ，３０５Ｙ，３０５Ｍ，３０５Ｃにより本発明の電圧出力部を構成することができるが、これに限定されるものではない。
【００３４】
圧電トランス駆動回路３０３Ｋ，３０３Ｙ，３０３Ｍ，３０３Ｃは、供給された駆動パルス３１２Ｋ，３１２Ｙ，３１２Ｍ，３１２Ｃに応じて交流電圧を発生させるパワーＭＯＳＦＥＴ（Ｍｅｔａｌ−Ｏｘｉｄｅ  Ｓｅｍｉｃｏｎｄｕｃｔｏｒ  Ｆｉｅｌｄ−Ｅｆｆｅｃｔ  Ｔｒａｎｓｉｓｔｏｒ）などのスイッチング素子を有している。
【００３５】
高圧制御回路２６０は、水晶発振器４１９から供給されたクロック信号に同期してディジタル演算を実行するディジタル回路である。プリンタエンジン制御部２５３は、出力制御信号３１０とデータ信号３１１Ｋ，３１１Ｙ，３１１Ｍ，３１１Ｃとリセット信号３０９とを高圧制御回路２６０に与えて高圧制御回路２６０を制御する。データ信号３１１Ｋ，３１１Ｙ，３１１Ｍ，３１１Ｃは、負荷３０６Ｋ，３０６Ｙ，３０６Ｍ，３０６Ｃにそれぞれ供給すべき目標電圧に対応する目標値を示す８ビットのパラレル信号である。高圧制御回路２６０は、アナログ電圧信号３１４Ｋ，３１４Ｙ，３１４Ｍ，３１４Ｃがそれぞれ入力される入力端子ＡＩＮ＿Ｋ，ＡＩＮ＿Ｙ，ＡＩＮ＿Ｍ，ＡＩＮ＿Ｃを有している。これらアナログ電圧信号３１４Ｋ，３１４Ｙ，３１４Ｍ，３１４Ｃは、負荷３０６Ｋ，３０６Ｙ，３０６Ｍ，３０６Ｃへの出力電圧を目標電圧へ追従させる制御のために使用される。また、高圧制御回路２６０は、後述するように各種設定値を保持する複数のレジスタ（図示せず）を有しており、プリンタエンジン制御部２５３は、シリアル通信手段３４０を介してこれらレジスタに保持すべき設定値を供給することができる。
【００３６】
図４は、高圧制御回路２６０の概略構成を示す機能ブロック図である。図４に示されるように、高圧制御回路２６０は、ブラック画像用の高圧制御部２６０Ｋと、イエロー画像用の高圧制御部２６０Ｙと、マゼンタ画像用の高圧制御部２６０Ｍと、シアン画像用の高圧制御部２６０Ｃとを含む。これら高圧制御部２６０Ｋ，２６０Ｙ，２６０Ｍ，２６０Ｃは、プリンタエンジン制御部２５３からそれぞれデータ信号３１１Ｋ，３１１Ｙ，３１１Ｍ，３１１Ｃを受信し、また、シリアル通信手段３４０を介してプリンタエンジン制御部２５３と接続されている。
【００３７】
図５は、実施の形態１の高圧制御部２６０Ｋの基本構成を概略的に示す図である。他の高圧制御部２６０Ｙ，２６０Ｍ，２６０Ｃの基本構成は、図５の基本構成と同じである。また、図６は、実施の形態１の高圧制御部２６０Ｋに対応する転写バイアス発生回路３５０Ｋの基本構成の一例を概略的に示す図である。他の転写バイアス発生回路３５０Ｙ，３５０Ｍ，３５０Ｃも、図６の転写バイアス発生回路３５０Ｋと同じ基本構成を有している。
【００３８】
図６に示されるように、高圧制御部２６０Ｋは、水晶発振器４１９から抵抗素子４２４を介して基準クロック（以下、単に「クロック」と呼ぶ。）が入力されるクロック入力端子ＣＬＫ＿ＩＮを有している。水晶発振器４１９は、電圧入力端子ＶＩＮ、出力イネーブル端子ＯＥ、クロック出力端子Ｑ０及び接地端子ＧＮＤを有している。電圧入力端子ＶＩＮと出力イネーブル端子ＯＥとはともに、電源４１８から３．３ボルトの駆動電圧が供給される。本実施の形態では、水晶発振器４１９は、３．３ボルトの駆動電圧に応じて５０ＭＨｚのクロックをクロック出力端子Ｑ０から出力することができる。高圧制御部２６０Ｋは、このクロックに同期して動作するとともに、クロックを分周することで約３０％のオン・デューティ比（１周期に占めるハイレベル期間の比率）を有する駆動パルスを生成しこれを出力端子ＯＵＴ＿Ｋから出力する。
【００３９】
転写バイアス発生回路３５０Ｋは、高圧制御部２６０Ｋの出力端子ＯＵＴ＿Ｋから供給された駆動パルスに応じて圧電トランス３０４Ｋの１次側電極に供給すべき交流電圧を生成する圧電トランス駆動回路３０３Ｋを有している。圧電トランス駆動回路３０３Ｋは、スイッチング素子であるパワーＭＯＳＦＥＴ４０２と、抵抗素子４３０，４０３と、オートトランス４０１と、コンデンサ４０４とを含む。オートトランス４０１の一端は、２４ボルトの直流電圧を供給するＤＣ電源３０２と接続され、オートトランス４０１の中点は、ノードＮｇを介して、パワーＭＯＳＦＥＴ４０２のドレイン電極とコンデンサ４０４の一端との双方と接続されている。さらに、オートトランス４０１の他端は、圧電トランス３０４Ｋの１次側電極を構成するノードＮａと接続されている。また、パワーＭＯＳＦＥＴ４０２のソース電極とコンデンサ４０４の他端とはともに接地端子４１１と接続されている。さらに、パワーＭＯＳＦＥＴ４０２のゲート電極は、抵抗素子４３０を介して高圧制御部２６０Ｋの出力端子ＯＵＴ＿Ｋと接続されている。ゲート電極と接地端子４１１との間には抵抗素子４０３が接続されている。
【００４０】
オートトランス４０１とコンデンサ４０４と圧電トランス３０４Ｋとは、共振回路を構成している。この共振回路の作用によって、圧電トランス３０４Ｋの１次側電極（入力側電極）に半波正弦波をなす交流電圧が印加される。図７は、パワーＭＯＳＦＥＴ４０２のドレイン電極（ノードＮｇ）での電圧波形Ｖｂと、圧電トランス３０４Ｋの１次側電極のノードＮａでの電圧波形Ｖａとを例示する図である。図７に示されるように、共振回路により、パワーＭＯＳＦＥＴ４０２のドレイン電極での電圧の上昇に応じて圧電トランス３０４Ｋの１次側電極に印加される電圧が昇圧される。圧電トランス３０４Ｋは、パワーＭＯＳＦＥＴ４０２のゲート電極に印加された駆動パルスのスイッチング周波数に応じた高圧の交流電圧を２次側電極から出力する。この出力された交流電圧は、整流回路３０５Ｋによって整流されて直流電圧に変換される。
【００４１】
図６に示されるように、整流回路３０５Ｋは、高耐圧整流ダイオード４０５，４０６とコンデンサ４０７とで構成されている。高耐圧整流ダイオード４０５のアノードとコンデンサ４０７との一端とはともに接地されている。また、高耐圧整流ダイオード４０５のカソードは、ノードＮｂと高耐圧整流ダイオード４０６のアノードとの双方に接続されている。そして、高耐圧整流ダイオード４０６のカソードは、コンデンサ４０７の他端に接続されている。圧電トランス３０４Ｋから出力された交流電圧は、高耐圧整流ダイオード４０５，４０６によって整流されて正バイアスとなり、コンデンサ４０７によって平滑化される。
【００４２】
圧電トランス３０４Ｋは、圧電セラミックス板などの圧電振動子固有の共振周波数ｆ０を有し、ノードＮａに入力された交流電圧の周波数がこの共振周波数ｆ０またはこの近辺となるとき、入力された交流電圧の振幅よりも大きな振幅を持つ交流電圧（昇圧電圧）を、２次側電極のノードＮｂで発生させるものである。圧電トランス３０４Ｋは、共振周波数ｆ０以外にも、共振周波数ｆ０よりも高い不要な共振周波数すなわちスプリアス周波数を有している。図８は、本実施の形態の圧電トランス３０４Ｋに入力される交流電圧の周波数（駆動周波数）と出力電圧との関係（出力特性）の一例を表すグラフである。このグラフに示されるように、圧電トランス３０４Ｋは、最大振幅の出力電圧を与える共振周波数ｆ０と、この共振周波数ｆ０よりも高い領域に２点のスプリアス周波数ｆｓ１，ｆｓ２とを有している。なお、図８の出力特性は、一例であり、負荷のインピーダンス変動や負荷を流れる電流量に応じて圧電トランス３０４Ｋの出力特性（出力電圧の振幅や共振周波数）は変化する。
【００４３】
図６を参照すると、整流回路３０５Ｋの出力は、抵抗素子４２６を介して負荷３０６Ｋに供給されると同時に、電圧変換回路３０７Ｋにも供給される。図６に例示されるように、電圧変換回路３０７Ｋは、分圧回路を構成する抵抗素子４０８，４０９と、ＲＣフィルタを構成する抵抗素子４１０及びコンデンサ４１２の組と、ボルテージフォロワ回路をなすオペアンプ４１３とを備えて構成されている。たとえば、抵抗素子４０８の抵抗を１００ＭΩ（＝１００×１０６Ω）とし、抵抗素子４０９の抵抗を３３ｋΩ（＝３３×１０３Ω）とすることができる。このとき、整流回路３０５Ｋより出力された高電圧は、これら抵抗素子４０８，４０９により３．３／１００００の比率で分圧され、抵抗素子４１０及びコンデンサ４１２の組で平滑化され、さらにオペアンプ４１３によりインピーダンス変換されて、高圧制御部２６０ＫのＡ／Ｄ変換用の入力端子ＡＩＮ＿Ｋに入力される。
【００４４】
次に、図５を参照しつつ高圧制御部２６０Ｋについて説明する。
【００４５】
図５に示されるように、高圧制御部２６０Ｋは、Ａ／Ｄ変換器（ＡＤＣ）５００、比較器５１０、演算器５０８、テーブルレジスタ（ルックアップテーブル）５０４、タイマ回路５０６、周期値レジスタ５０７、１９ビットレジスタ５１４、パルス生成回路５１３、誤差保持レジスタ回路５１８、出力セレクタ５１９及びレジスタ５２０，５２１，５２３，５２４を有する。本発明の周波数制御部は、たとえば、演算器５０８と１９ビットレジスタ５１４とテーブルレジスタ５０４とによって構成することが可能である。なお、電圧変換回路３０７ＫとＡ／Ｄ変換器（ＡＤＣ）５００とにより本発明の電圧検出部を構成することができるが、これに限定されるものではない。
【００４６】
ＡＤＣ５００は、入力端子ＡＩＮ＿Ｋに入力されたアナログ電圧信号３１４Ｋを８ビットのディジタル電圧信号３１４Ｄに変換する８ビット分解能を有する。このディジタル電圧信号３１４Ｄは、転写バイアス発生回路３５０Ｋの出力電圧に対応する値（以下、実測値と呼ぶ。）を表すものである。一方、プリンタエンジン制御部２５３から入力されるデータ信号３１１Ｋは、目標電圧に対応する目標値を表すものである。比較器５１０は、入力された出力制御信号３１０の論理レベルがＨレベル（ハイレベル）のときに比較動作を行う。具体的には、比較器５１０は、実測値が目標値未満であるときには、論理レベルがＨレベルの１ビット信号を出力し、実測値が目標値以上のときには、論理レベルがＬレベル（ローレベル）の１ビット信号を出力する。演算器５０８は、比較器５１０の出力の論理レベルがＬレベルであるか、Ｈレベルであるかによって、転写バイアス発生回路３５０Ｋの出力電圧が目標電圧未満か否かを判別することができる。
【００４７】
演算器５０８は、１９ビットレジスタ５１４に保持させるべき１９ビットの分周比データＦＤを生成する機能を有する。図９は、分周比データＦＤのフォーマットを示す図である。分周比データＦＤは、分周比少数部と呼ばれる下位１０ビットＦＤ［９：０］と、分周比整数部と呼ばれる上位９ビットＦＤ［１８：１０］とで構成される。
【００４８】
テーブルレジスタ５０４は、１９ビットレジスタ５１４に記憶されている分周比整数部の下位８ビットＦＤ［１７：１０］を入力とし、この入力の値に対応する８ビット値を演算器５０８に出力するＬＵＴ（ルックアップテーブル）である。図１０及び図１１は、テーブルレジスタ５０４における入力値と出力値との対応関係を示す図である。図１０及び図１１においては、入力値と出力値は、末尾に「ｈｅｘ」との記号を付した１６進数で表現されている。また、入力値に対応する分周比整数部の値も１６進数で示されている。
【００４９】
タイマ回路５０６は、クロック入力端子ＣＬＫ＿ＩＮに入力されたクロックＣＬＫに同期してカウント（計数）する機能を有し、計数値を保持する。具体的には、タイマ回路５０６には、周期値レジスタ５０７から１３ビットのカウント周期値が初期値として与えられており、タイマ回路５０６は、計数値をこのカウント周期値に設定し、クロックＣＬＫのパルスエッジ（立ち上がりエッジまたは立ち下がりエッジ）毎に計数値をデクリメント（減算）する。当該計数値が「０」の値に到達すると、当該計数値は初期値であるカウント周期値に再設定される。タイマ回路５０６は、当該計数値が「０」の値に到達する度にパルスエッジ（立ち上がりエッジまたは立ち下がりエッジ）を有するパルス信号を演算器５０８とＡＤＣ５００とに出力する。このパルス信号の周期がたとえば１４０μ秒となるようにカウント周期値を設定することができるが、これに限定されるものではなく、パルス信号の周期が数十μ秒〜百数十μ秒程度となるようにカウント周期値を設定してもよい。ＡＤＣ５００は、このパルス信号の周期に従ってＡ／Ｄ変換を実行する。
【００５０】
演算器５０８は、タイマ回路５０６からパルスが入力される度に、テーブルレジスタ５０４の８ビット出力値を分周比データＦＤの現在値（１９ビット値）に加算して新たな分周比データを生成する。次いで、演算器５０８は、１９ビットレジスタ５１４に保持されている分周比データＦＤを新たな分周比データで置換して１９ビットレジスタ５１４の保持データを更新する。
【００５１】
下限値レジスタ５２０には、分周比整数部ＦＤ［１８：１０］の下限値ＦＤｓが記憶されており、上限値レジスタ５２１には、分周比整数部ＦＤ［１８：１０］の上限値ＦＤｅが記憶されている。図８の開始周波数ｆｓｔａｒｔは下限値ＦＤｓと対応しており、図８の周波数ｆｅｎｄは上限値ＦＤｅに対応している。演算器５０８は、これら上限値ＦＤｓと下限値ＦＤｅとの間の数値範囲に収まるように分周比整数部ＦＤ［１８：１０］の値を制御する。また、第１切替レジスタ５２３には、図８の切替周波数ｆａと対応する第１切替値ＳＷａが記憶されており、第２切替レジスタ５２４には、図８の切替周波数ｆｂと対応する第２切替値ＳＷｂが記憶されている。
【００５２】
パルス生成回路５１３は、図５に示されるように、加算器５１５、分周セレクタ５１６及び分周器５１７を有している。加算器５１５は、１９ビットレジスタ５１４から出力された９ビット値ＦＤ［１８：１０］を所定値（たとえば「１」）だけ増加させ、その増加した値を分周セレクタ５１６に与える。
【００５３】
分周セレクタ５１６は、誤差保持レジスタ回路５１８から出力されるフラグ信号Ｆｇの論理レベルに応じて、９ビットの分周比整数部ＦＤ［１８：１０］あるいは加算器５１５の出力のいずれか一方を選択し、分周器５１７に出力する。分周器５１７は、分周セレクタ５１６の９ビット出力値を分周比としてクロックＣＬＫを分周することで約３０％のオン・デューティ比を持つ駆動パルスを生成する。具体的には、分周器５１７は、内蔵カウンタを用いて、分周セレクタ５１６の９ビット出力値に比例する周期の駆動パルスを生成することが可能である。ここで、分周セレクタ５１６は、フラグ信号Ｆｇの論理レベルがＬレベルのときは、９ビット値ＦＤ［１８：１０］を選択し、フラグ信号Ｆｇの論理レベルがＨレベルのときには、加算器５１５の９ビット出力を選択する。
【００５４】
出力セレクタ５１９は、出力制御信号３１０の論理レベルがＨレベルのときは、分周器５１７から出力された駆動パルスを選択し、この駆動パルス３１２Ｋを出力端子ＯＵＴ＿Ｋから転写バイアス発生回路３５０Ｋに出力する。一方、出力制御信号３１０の論理レベルがＬレベルのときには、出力セレクタ５１９は接地電圧を選択する。
【００５５】
誤差保持レジスタ回路５１８は、１９ビットレジスタ５１４内の分周比データのうち分周比少数部ＦＤ［９：０］を取り込んで誤差として累積する１０ビット分の誤差格納領域と、１ビットのフラグ信号Ｆｇを格納するフラグ格納領域とを有する。誤差保持レジスタ回路５１８は、パルス生成回路５１３の分周器５１７から出力された駆動パルスのエッジ（立ち上がりエッジまたは立ち下がりエッジ）毎に、１９ビットレジスタ５１４から入力された分周比少数部ＦＤ［９：０］を取り込み、取り込んだ分周比少数部ＦＤ［９：０］を誤差格納領域に保持されている誤差に加算し、その加算結果を累積誤差（積算値）として誤差格納領域に記憶させる。累積誤差がしきい値を超過して誤差格納領域をオーバフローすると、誤差保持レジスタ回路５１８は、フラグ信号Ｆｇの論理レベルをＨレベルに設定する。このとき、累積誤差は、誤差格納領域をオーバフローしたので、オーバフロー直前の値よりも小さい値となる。その後、誤差保持レジスタ回路５１８に次のパルスエッジが入力されたときにフラグ信号Ｆｇの論理レベルはＬレベルに戻される。
【００５６】
上記したようにフラグ信号Ｆｇの論理レベルがＬレベルの間は、分周器５１７には、１９ビットレジスタ５１４から分周セレクタ５１６を介して分周比整数部ＦＤ［１８：１０］が入力される。分周器５１７は、この分周比整数部ＦＤ［１８：１０］の値を分周比としてクロックＣＬＫを分周することにより駆動パルスを生成する。この間、分周比少数部ＦＤ［９：０］は、分周器５１７で使用されず、誤差として誤差保持レジスタ回路５１８の誤差格納領域に累積される。
【００５７】
一方、累積誤差（積算値）がしきい値を超過して誤差格納領域をオーバフローし、フラグ信号Ｆｇの論理レベルがＨレベルになったとき、分周器５１７は、加算器５１５の出力値を分周比としてクロックＣＬＫを分周することで駆動パルスを生成する。よって、パルス生成回路５１３は、ある時刻ｔ０で発生した分周比小数部ＦＤ［９：０］を誤差とし、この誤差を別の時刻ｔ１（≠ｔ０）で発生した分周比整数部ＦＤ［１８：１０］に上乗せする（拡散させる）ことが可能である。これにより、本実施の形態の高圧制御部２６０Ｋは、９ビット分解能よりも高い分解能で圧電トランス３０４Ｋに対する駆動周波数を制御することができる。
【００５８】
次に、上記実施の形態１の画像形成装置１００の動作について詳細に説明する。
【００５９】
まず、画像形成装置１００の電源投入がなされると、制御回路２００は、画像形成装置１００にイニシャル動作を開始させる。具体的には、図２の制御回路２００のプリンタエンジン制御部２５３は、転写ベルト１０８を駆動するためにベルトモータ２５６に駆動ローラ１０６を回転させ、ドラムモータ２５８に感光体ドラム１３２Ｋ，１３２Ｙ，１３２Ｍ，１３２Ｃを回転させる。このとき、プリンタエンジン制御部２５３は、高圧制御回路２６０を制御して帯電バイアス発生部２６１、現像バイアス発生部２６２及び転写バイアス発生部２６３からそれぞれ電圧を出力させる。ここで、図４の高圧制御部２６０Ｋ，２６０Ｙ，２６０Ｍ，２６０Ｃは、図３の転写バイアス発生回路３５０Ｋ，３５０Ｙ，３５０Ｍ，３５０Ｃにそれぞれ駆動パルス３１２Ｋ，３１２Ｙ，３１２Ｍ，３１２Ｃを供給して転写バイアス発生回路３５０Ｋ，３５０Ｙ，３５０Ｍ，３５０Ｃ中の圧電トランスをアイドリング状態で駆動する。すなわち、これら圧電トランスのエージングが行われる。これにより、圧電トランスを構成する圧電セラミックス板などの圧電振動子の温度が上昇し、圧電トランスの特性を安定化させることができる。
【００６０】
その後、図２のホストインタフェース部２５０を介して画像処理部２５１にＰＤＬなどのフォーマットで記述された印刷データが入力されると、画像処理部２５１は、入力された印刷データに基づいてビットマップデータ（画像データ）を生成し、このビットマップデータをＬＥＤヘッドインタフェース部２５２とプリンタエンジン制御部２５３とに出力する。プリンタエンジン制御部２５３は、定着器ヒータ１５１の動作を制御して定着ローラ１１８Ａを加熱させる。サーミスタ１５０により検知された温度が所定の温度に到達すると、プリンタエンジン制御部２５３は、画像形成装置１００に画像形成動作を開始させる。
【００６１】
まず、ホッピングモータ２５４は、ホッピングローラ１１４を回転駆動する。これにより、記録媒体１１０は、カセット１１３から取り出されてレジストローラ１１６，１１７に案内される。レジストモータ２５５は、レジストローラ１１６，１１７を回転駆動するので、カセット１１３から取り出された記録媒体１１０は、レジストローラ１１６，１１７によって媒体検出センサ１４０を経て転写ベルト１０８上に送り出される。転写ベルト１０８は、所定の搬送速度で記録媒体１１０を現像器１０２Ｋ，１０２Ｙ，１０２Ｍ，１０２Ｃの直下を順番に通過させる。
【００６２】
このとき、プリンタエンジン制御部２５３は、媒体検出センサ１４０による検出結果と記録媒体１１０の搬送速度とに基づいて、現像器１０２Ｋ，１０２Ｙ，１０２Ｍ，１０２Ｃを動作させるタイミングを個別に制御する。現像器１０２Ｋ，１０２Ｙ，１０２Ｍ，１０２Ｃでは、帯電ローラ１３６Ｋ，１３６Ｙ，１３６Ｍ，１３６Ｃは、感光体ドラム１３２Ｋ，１３２Ｙ，１３２Ｍ，１３２Ｃの表面をそれぞれを一様に帯電させる。また、ＬＥＤヘッド１０３Ｋ，１０３Ｙ，１０３Ｍ，１０３Ｃは、ビットマップデータに対応したパターンで発光して感光体ドラム１３２Ｋ，１３２Ｙ，１３２Ｍ，１３２Ｃをそれぞれ露光し、これにより感光体ドラム１３２Ｋ，１３２Ｙ，１３２Ｍ，１３２Ｃの表面にそれぞれ静電潜像を形成する。現像ローラ１３４Ｋ，１３４Ｙ，１３４Ｍ，１３４Ｃは、感光体ドラム１３２Ｋ，１３２Ｙ，１３２Ｍ，１３２Ｃ上の静電潜像にそれぞれ現像剤を付着させて現像剤像を形成する。そして、転写ローラ１０５Ｋ，１０５Ｙ，１０５Ｍ，１０５Ｃは、図３の転写バイアス発生回路３５０Ｋ，３５０Ｙ，３５０Ｍ，３５０Ｃからそれぞれ転写バイアスの印加を受けて、感光体ドラム１３２Ｋ，１３２Ｙ，１３２Ｍ，１３２Ｃ上の４色（ブラック、イエロー、マゼンタ及びシアン）の現像剤像を転写ベルト１０８上の記録媒体１１０の表面に転写する。その後、定着器１１８は、記録媒体１１０上の４色の現像剤像を当該記録媒体１１０に定着させた後、ガイド１１９に排出する。
【００６３】
次に、高圧電源装置３０１の動作を詳細に説明する。
【００６４】
図３及び図４に示したように、高圧電源装置３０１は、４チャネル分の転写バイアス発生回路３５０Ｋ，３５０Ｙ，３５０Ｍ，３５０Ｃと高圧制御部２６０Ｋ，２６０Ｙ，２６０Ｍ，２６０Ｃとを有しているが、上述の通り、転写バイアス発生回路３５０Ｋ，３５０Ｙ，３５０Ｍ，３５０Ｃは同じ基本構成を有し、高圧制御部２６０Ｋ，２６０Ｙ，２６０Ｍ，２６０Ｃも同じ基本構成を有しているので、以下、主にブラック画像用の高圧制御部２６０Ｋ及び転写バイアス発生回路３５０Ｋの動作について説明する。
【００６５】
画像形成装置１００の電源投入後、プリンタエンジン制御部２５３は、Ｌレベルのリセット信号３０９を高圧制御回路２６０のリセット端子ＲＳＴに入力させて高圧制御回路２６０をリセット（初期状態に設定）する。高圧制御回路２６０では、Ｌレベルのリセット信号３０９に応じて各種レジスタの値が初期化される。
【００６６】
次に、プリンタエンジン制御部２５３は、各々が８ビットのデータ信号３１１Ｋ，３１１Ｙ，３１１Ｍ，３１１Ｃを図４の高圧制御部２６０Ｋ，２６０Ｙ，２６０Ｍ，２６０Ｃにそれぞれ供給する。これらデータ信号３１１Ｋ，３１１Ｙ，３１１Ｍ，３１１Ｃは、たとえば、０ボルト〜１０ｋＶの目標電圧に対応する００ｈｅｘ〜ＦＦｈｅｘの目標値を表すものである。画像形成装置１００のイニシャル動作時には、プリンタエンジン制御部２５３は、圧電トランスをアイドリング状態で駆動させるために目標値００ｈｅｘのデータ信号３１１Ｋ，３１１Ｙ，３１１Ｍ，３１１Ｃを供給する。イニシャル動作完了後の画像形成時には、プリンタエンジン制御部２５３は、感光体ドラム１３２Ｋ，１３２Ｙ，１３２Ｍ，１３２Ｃ上の現像剤像を転写させるために必要な目標電圧（たとえば、１ｋＶ〜８ｋＶ）に対応する１Ａｈｅｘ〜ＣＣｈｅｘの範囲内の目標値のデータ信号３１１Ｋ，３１１Ｙ，３１１Ｍ，３１１Ｃを供給する。
【００６７】
また、プリンタエンジン制御部２５３は、画像形成装置１００のイニシャル動作時に転写ベルト１０８を駆動させる期間に所定のタイミングで出力制御信号３１０の論理レベルをＨレベルにする。また、記録媒体１１０が転写ローラ１０５Ｋと感光体ドラム１３２Ｋとの間の領域（ニップ部）、転写ローラ１０５Ｙと感光体ドラム１３２Ｙとの間の領域（ニップ部）、転写ローラ１０５Ｍと感光体ドラム１３２Ｍとの間の領域（ニップ部）及び転写ローラ１０５Ｃと感光体ドラム１３２Ｃとの間の領域（ニップ部）をそれぞれ通過する時にも、プリンタエンジン制御部２５３は、現像剤像を転写させるために所定のタイミングで出力制御信号３１０の論理レベルをＨレベルにする。このとき、プリンタエンジン制御部２５３は、媒体検出センサ１４０による検出結果と記録媒体１１０の搬送速度とに基づいて、記録媒体１１０が現像器１０２Ｋ，１０２Ｙ，１０２Ｍ，１０２Ｃの各々のニップ部に到達する時間を算出することができる。
【００６８】
高圧制御回路２６０は、出力制御信号３１０の論理レベルがＨレベルに変化すると、直ちに出力端子ＯＵＴ＿Ｋ，ＯＵＴ＿Ｙ，ＯＵＴ＿Ｍ，ＯＵＴ＿Ｃから駆動パルス３１２Ｋ，３１２Ｙ，３１２Ｍ，３１２Ｃの出力を開始する。圧電トランス駆動回路３０３Ｋ，３０３Ｙ，３０３Ｍ，３０３Ｃは、これら駆動パルス３１２Ｋ，３１２Ｙ，３１２Ｍ，３１２Ｃに応じてＤＣ電源３０２に対してスイッチング動作し、圧電トランス３０４Ｋ，３０４Ｙ，３０４Ｍ，３０４Ｃの１次側電極に半波正弦波の正電圧を印加する。これにより、圧電トランス３０４Ｋ，３０４Ｙ，３０４Ｍ，３０４Ｃの２次側電極から正弦波（交流）の変圧電圧が出力される。整流回路３０５Ｋ，３０５Ｙ，３０５Ｍ，３０５Ｃは、入力された交流の変圧電圧を整流し平滑化して出力電圧を生成する。これら出力電圧は、負荷３０６Ｋ，３０６Ｙ，３０６Ｍ，３０６Ｃを構成する転写ローラ１０５Ｋ，１０５Ｙ，１０５Ｍ，１０５Ｃの軸部に印加される。
【００６９】
一方、電圧変換回路３０７Ｋ，３０７Ｙ，３０７Ｍ，３０７Ｃは、出力電圧の振幅をたとえば０ボルト〜３．３ボルトの範囲内の振幅を持つアナログ電圧信号３１４Ｋ，３１４Ｙ，３１４Ｍ，３１４Ｃに変換し、これらアナログ電圧信号３１４Ｋ，３１４Ｙ，３１４Ｍ，３１４Ｃを高圧制御回路２６０のＡ／Ｄ変換用の入力端子ＡＩＮ＿Ｋ，ＡＩＮ＿Ｙ，ＡＩＮ＿Ｍ，ＡＩＮ＿Ｃにそれぞれ入力させる。高圧制御回路２６０は、これらアナログ電圧信号３１４Ｋ，３１４Ｙ，３１４Ｍ，３１４Ｃをディジタル電圧信号に変換して出力電圧を目標電圧へ追従させる駆動周波数制御のために使用する。
【００７０】
本実施の形態では、圧電トランス３０４Ｋ，３０４Ｙ，３０４Ｍ，３０４Ｃはいずれも、図８に示される同じ出力特性を有するものとする。高圧制御部２６０Ｋ，２６０Ｙ，２６０Ｍ，２６０Ｃは、図８のスプリアス周波数ｆｓ１，ｆｓ２を含まない第１の周波数範囲Δ１と第２の周波数範囲Δ２とにおいて駆動周波数を制御する。また、高圧制御部２６０Ｋ，２６０Ｙ，２６０Ｍ，２６０Ｃは、圧電トランス３０４Ｋ，３０４Ｙ，３０４Ｍ，３０４Ｃに供給すべき交流電圧の周波数すなわち駆動周波数を第１の周波数範囲Δ１の上限ｆｓｔａｒｔ（約１７９．８６ｋＨｚ、すなわち、クロック周波数５０ＭＨｚを２７８分周した周波数）を始点（開始周波数）として制御する。
【００７１】
高圧制御部２６０Ｋでは、図５の比較器５１０は、ディジタル電圧信号３１４Ｄで表される実測値が目標値よりも小さいとき（実測値＜目標値）は、Ｈレベル信号を演算器５０８に出力する。このとき、演算器５０８は、テーブルレジスタ５０４の８ビット出力を用いて、分周比データＦＤの１９ビットＦＤ［１８：０］の値を段階的に上昇させる。これにより、パルス生成回路５１３は、スイッチング周波数が段階的に低下する駆動パルスを出力するので、駆動周波数は、図８の上限周波数ｆｓｔａｒｔを始点として段階的に低下する。第１の周波数範囲Δ１では、図８の出力特性に示されるように比較的低い電圧が出力される。
【００７２】
駆動周波数が第１の周波数範囲Δ１の下限ｆａに到達すると、演算器５０８は、分周比整数部ＦＤ［１８：１０］の値が切替周波数ｆａに対応する第１切替値ＳＷａ（＝１１Ｃｈｅｘ）に到達したと判定する。ここで、切替周波数ｆａは、クロック周波数５０ＭＨｚを２８４分周して得られる約１７６．０６ｋＨｚである。このとき、演算器５０８は、分周比整数部ＦＤ［１８：１０］の値を、第２の周波数範囲Δ２の上限ｆｂに対応する第２切替値ＳＷｂ（＝１９０ｈｅｘ）に変更して分周比データＦＤを更新する。ここで、切替周波数ｆｂは、クロック周波数５０ＭＨｚを４００分周して得られる約１２５．００ｋＨｚである。これにより、パルス生成回路５１３は、第２切替値ＳＷｂに対応するスイッチング周波数を持つ駆動パルスを出力するので、駆動周波数は、スプリアス周波数ｆｓ１，ｆｓ２をスキップして切替周波数ｆｂに切り替えられる。その後、実測値が目標値よりも小さいとき、演算器５０８は、分周比データＦＤの１９ビットＦＤ［１８：０］の値を段階的に上昇させるので、駆動周波数は、切替周波数ｆｂから段階的に低下する。第２の周波数範囲Δ２では、図８の出力特性に示されるように、共振周波数ｆ０に近いため高い電圧が出力される。
【００７３】
図５の比較器５１０は、実測値が目標値以上となると（実測値≧目標値）、Ｌレベル信号を演算器５０８に出力する。このとき、演算器５０８は、テーブルレジスタ５０４の８ビット出力を用いて、分周比データＦＤの１９ビットＦＤ［１８：０］の値を段階的に低下させる。これにより、パルス生成回路５１３は、スイッチング周波数が段階的に上昇する駆動パルスを出力するので、駆動周波数は徐々に上昇する。その後、実測値が目標値を下回ると、演算器５０８は、分周比データＦＤの１９ビットＦＤ［１８：０］の値を段階的に上昇させるので、駆動周波数は徐々に低下する。このように、出力電圧が目標電圧に到達した後は、出力電圧が目標電圧に追従するように駆動周波数が変化することになる。上述したように、本実施の形態のパルス生成回路５１３は、分周比小数部ＦＤ［９：０］を誤差として累積し、累積誤差がしきい値を超えたときに分周比整数部ＦＤ［１８：１０］の値を一時的に増加させるので、分周比整数部ＦＤ［１８：１０］だけで実現される分解能よりも高い分解能で駆動周波数を制御することができる。したがって、高圧制御部２６０Ｋは、定電圧となるように出力電圧を安定化させることが可能である。
【００７４】
たとえば、分周器５１７の出力の２１０パルス期間（＝１０２４パルス期間）中、１９ビットレジスタ５１４に格納される１９ビット値が変化せず、１０２４パルス期間中に１回のオーバフローが生じた場合を考える。この場合、分周比整数部ＦＤ［１８：１０］の値をＦＤｉとし、分周比少数部ＦＤ［９：０］の値をＦＤｄとすれば、分周セレクタ５１６から出力される９ビット分周比値の平均値はほぼ、ＦＤｉ＋ＦＤｄ／１０２４、となる。
【００７５】
より一般的には、２１０パルス期間（＝１０２４パルス期間）中、１９ビットレジスタ５１４に格納される１９ビット値が変化せず、１０２４パルス期間中にＫ（＝１０２４−Ｍ）回のオーバフローが発生した場合を考える。ここで、Ｍは、１０２４以下の非負整数である。この場合、分周セレクタ５１６から出力される９ビット分周比値の平均値は、次式で表される。
｛ＦＤｉ×Ｍ＋（ＦＤｉ＋１）×（１０２４−Ｍ）｝／１０２４
＝ＦＤｉ＋Ｋ／１０２４
【００７６】
ここで、Ｋは、分周比データＦＤの下位１０ビット値すなわち分周比少数部ＦＤ［９：０］の値とほぼ等しいものと考えることができる。この式は、１９ビットレジスタ５０７に格納されている１９ビット値（分周比データＦＤの値）が変化しない場合の結果であるが、たとえ１０２４パルス期間中に１９ビット値が変化する場合でも、上式の左辺の単位時間当たりの平均値は、ＦＤｉ＋ＦＤｄ／１０２４の単位時間当たりの平均値とほぼ等しくなることが確認されている。したがって、本実施の形態のパルス生成回路５１３は、分周比少数部ＦＤ［９：０］の値ＦＤｄを分周比値の平均値に反映されるので、分周比整数部ＦＤ［１８：１０］の値ＦＤｉだけを用いた場合と比べて、より高い分解能で駆動周波数を制御することができる。
【００７７】
図１２及び図１３は、駆動周波数に対応する出力電圧の値を例示する図（テーブル）である。図１２及び図１３には、駆動周波数に対応する分周比整数部ＦＤ［１８：１０］の値も１６進数で示されている。図１２に示されるように第１の周波数範囲Δ１（１７９．８６ｋＨｚ〜１７６．０６ｋＨｚ）では、出力電圧は、２５ボルト〜５７０ボルトの範囲内である。駆動周波数の始点ｆｓｔａｒｔ付近の出力電圧は、２５ボルト付近であり、非常に低い電圧である。一方、図１２及び図１３に示されるように第２の周波数範囲Δ２（１２５．００ｋＨｚ〜１１０．１３ｋＨｚ）では、出力電圧は、４５０ボルト〜８２１０ボルトの範囲内である。
【００７８】
次に、図１４を参照しつつ、演算器５０８による制御方法の一例を詳細に説明する。図１４は、演算器５０８による制御方法の手順を概略的に示すフローチャートである。なお、図１４の手順は、フローチャートで示されているが、たとえば、ハードウエア記述言語（ＨＤＬ：Ｈａｒｄｗａｒｅ  Ｄｅｓｃｒｉｐｔｉｏｎ  Ｌａｎｇｕａｇｅ）などの論理記述言語を用いて設計されたハードウェアにより実現され得る。
【００７９】
図１４の手順が開始される前に、周期値レジスタ５０７にカウント周期値が設定される。カウント周期値としては、たとえば、クロック周波数５０ＭＨｚに対して１６進数で１Ｂ５８ｈｅｘ（１０進数で７０００）の値を設定すればよい。タイマ回路５０６は、このカウント周期値を用いて１４０μ秒のパルス周期を持つパルス信号をＡＤＣ５００と演算器５０８とに出力するので、ＡＤＣ５００は、１４０μ秒周期にてＡ／Ｄ変換を実行してディジタル電圧信号３１４Ｄを比較器５１０に供給する。演算器５０８は、１４０μ秒周期のパルス信号と同期してディジタル演算を実行する。
【００８０】
図１４を参照すると、演算器５０８は、リセット端子ＲＳＴにＨレベルのリセット信号３０９が入力されると、この入力に応じて１９ビットレジスタ５１４に分周比データＦＤの初期値を記憶させる（ステップＳ６０１）。具体的には、分周比データＦＤの上位９ビットすなわち分周比整数部ＦＤ［１８：１０］の初期値として、第１の周波数範囲Δ１の上限ｆｓｔａｒｔに対応する１１６ｈｅｘが設定され、分周比データＦＤの下位１０ビットすなわち分周比少数部ＦＤ［９：０］の初期値として０００ｈｅｘが設定される。結果として、分周比データＦＤの初期値（１９ビット値）として４５８００ｈｅｘが１９ビットレジスタ５１４に設定される。
【００８１】
その後、演算器５０８は、比較器５１０からパルスエッジが入力されるまで待機する（ステップＳ６０２のＮＯ）。比較器５１０からパルスエッジが入力されると（ステップＳ６０２のＹＥＳ）、演算器５０８は当該パルスエッジを検出して、比較器５１０からの入力信号の論理レベルがＨレベルか否かを判定する（ステップＳ６０３）。
【００８２】
実測値が目標値未満のときは、比較器５１０からの入力信号の論理レベルがＨレベルであると判定される（ステップＳ６０３のＹＥＳ）。この場合、演算器５０８は、１９ビットレジスタ５１４に格納されている分周比データＦＤの現在値（１９ビット値）にテーブルレジスタ５０４の出力値を加算して新たな分周比データを生成する（ステップＳ６０４）。
【００８３】
次いで、演算器５０８は、新たな分周比データの上位９ビットすなわち分周比整数部ＦＤ［１８：１０］の値ＦＤｉが第１切替値ＳＷａ（＝１１Ｃｈｅｘ）と等しいか否かを判定する（ステップＳ６０６）。駆動周波数が図８の切替周波数ｆａに到達したとき、新たな分周比データの分周比整数部ＦＤ［１８：１０］の値ＦＤｉが第１切替値ＳＷａと等しいと判定される（ステップＳ６０６のＹＥＳ）。この場合、演算器５０８は、分周比データＦＤの分周比整数部ＦＤ［１８：１０］の値ＦＤｉを第２切替値ＳＷｂ（＝１９０ｈｅｘ）に設定し且つ分周比少数部ＦＤ［９：０］の値ＦＤｄを０００ｈｅｘに設定して新たな分周比データを生成し（ステップＳ６０７）、この新たな分周比データＦＤを１９ビットレジスタ５１４に記憶させる（ステップＳ６１２）。この結果、図８に示したように、駆動周波数は、スプリアス周波数ｆｓ１，ｆｓ２をスキップして第２の周波数範囲Δ２の切替周波数ｆｂに変化する。
【００８４】
一方、上記ステップＳ６０６で、新たな分周比データの分周比整数部ＦＤ［１８：１０］の値ＦＤｉが第１切替値ＳＷａと等しくないと判定された場合（ステップＳ６０６のＮＯ）には、演算器５０８は、分周比整数部ＦＤ［１８：１０］の値ＦＤｉが周波数ｆｅｎｄに対応する上限値ＦＤｅ（＝１Ｃ６ｈｅｘ）を超えたか否かを判定する（ステップＳ６０８）。値ＦＤｉが上限値ＦＤｅを超えていない場合（ステップＳ６０８のＮＯ）、ステップＳ６１２に手順が移行する。値ＦＤｉが上限値ＦＤｅを超えた場合（ステップＳ６０８のＹＥＳ）には、演算器５０８は、分周比データＦＤの分周比整数部ＦＤ［１８：１０］の値ＦＤｉを上限値ＦＤｅ（＝１Ｃ６ｈｅｘ）に設定し且つ分周比少数部ＦＤ［９：０］の値ＦＤｄを３ＦＦｈｅｘに設定して新たな分周比データを生成し（ステップＳ６１０）、この新たな分周比データＦＤを１９ビットレジスタ５１４に記憶させる（ステップＳ６１２）。これにより、第２の周波数範囲Δ２の下限ｆｅｎｄを超えて駆動周波数制御がなされることが防止される。
【００８５】
他方、実測値が目標値以上となったときは、上記ステップＳ６０３で、比較器５１０からの入力信号の論理レベルがＬレベルと判定される（ステップＳ６０３のＮＯ）。この場合、演算器５０８は、１９ビットレジスタ５１４に格納されている分周比データＦＤの現在値（１９ビット値）からテーブルレジスタ５０４の出力値を減算して新たな分周比データを生成する（ステップＳ６０５）。
【００８６】
次いで、演算器５０８は、新たな分周比データＦＤの分周比整数部ＦＤ［１８：１０］の値ＦＤｉが周波数ｆｓｔａｒｔに対応する下限値ＦＤｓ（＝１１６ｈｅｘ）を下回ったか否かを判定する（ステップＳ６０９）。値ＦＤｉが下限値ＦＤｓを下回っていない場合（ステップＳ６０９のＮＯ）、ステップＳ６１２に手順が移行する。値ＦＤｉが下限値ＦＤｓを下回った場合（ステップＳ６０９のＹＥＳ）には、演算器５０８は、分周比データＦＤの分周比整数部ＦＤ［１８：１０］の値ＦＤｉを下限値ＦＤｓ（＝１１６ｈｅｘ）に設定し且つ分周比少数部ＦＤ［９：０］の値ＦＤｄを０００ｈｅｘに設定して新たな分周比データを生成し（ステップＳ６１１）、この新たな分周比データＦＤを１９ビットレジスタ５１４に記憶させる（ステップＳ６１２）。これにより、第１の周波数範囲Δ１の上限ｆｓｔａｒｔを超えた駆動周波数制御がなされることが確実に防止される。ステップＳ６１２の後は、ステップＳ６０２に手順が戻る。
【００８７】
上記したように図１４の処理手順によって演算器５０８は、駆動周波数を図８の第１の周波数範囲Δ１及び第２の周波数範囲Δ２に限定し且つスプリアス周波数ｆｓ１，ｆｓ２を含む周波数範囲をスキップさせるように、１９ビットレジスタ５１４に格納される１９ビット値を制御することができる。
【００８８】
以上に説明したように実施の形態１の高圧制御部２６０Ｋは、スプリアス周波数ｆｓ１，ｆｓ２よりも高い第１の周波数範囲Δ１と第２の周波数範囲Δ２とで駆動周波数を制御し、駆動周波数が第１の周波数範囲Δ１の下限ｆａに到達したときには、スプリアス周波数ｆｓ１，ｆｓ２をスキップして第２の周波数範囲Δ２内の切替周波数ｆｂに駆動周波数を変化させる。このため、第１の周波数範囲Δ１における開始周波数ｆｓｔａｒｔ近辺の駆動周波数を用いて振幅の小さな低電圧を負荷３０６Ｋに供給することができる。しかも、スプリアス周波数ｆｓ１，ｆｓ２を確実に回避することが可能である。他の高圧制御部２６０Ｙ，２６０Ｍ，２６０Ｃでも高圧制御部２６０Ｋと同様の駆動周波数制御が行われる。
【００８９】
たとえば、目標電圧を０ボルト付近に設定し、図８の開始周波数ｆｓｔａｒｔを始点とする周波数制御を実行すれば、第１の周波数範囲Δ１内の１７９．８６ｋＨｚ〜１７９．２１ｋＨｚを駆動周波数とすることにより２５ボルト〜３５ボルト（図１２）の非常に低い電圧を供給することができる。これに対し、従来技術と同様に、仮にスプリアス周波数ｆｓ１と共振周波数ｆ０との間の１３０ｋＨｚ付近に開始周波数ｆｓｔａｒｔを設定したとすれば、３００ボルト以上の高い出力電圧（図１２）が供給されてしまう。
【００９０】
したがって、上記した画像形成装置１００のイニシャル動作時に、圧電トランス３０４Ｋ，３０４Ｙ，３０４Ｍ，３０４Ｃがアイドリング状態で駆動されても、不要に高い出力電圧を転写ローラ１０５Ｋ，１０５Ｙ，１０５Ｍ，１０５Ｃに供給することを防止することができる。これにより、記録媒体１１０を搬送しないイニシャル動作時に、たとえば、感光体ドラム１３２Ｋ，１３２Ｙ，１３２Ｍ，１３２Ｃの表面に付着している残留トナーが転写ローラ１０５Ｋ，１０５Ｙ，１０５Ｍ，１０５Ｃに転写され、転写ローラ１０５Ｋ，１０５Ｙ，１０５Ｍ，１０５Ｃその他の部材を汚染することを防止することができる。
【００９１】
また、イニシャル動作時に圧電トランス３０４Ｋ，３０４Ｙ，３０４Ｍ，３０４Ｃをアイドリング状態で駆動することにより、画像形成動作時の圧電トランス３０４Ｋ，３０４Ｙ，３０４Ｍ，３０４Ｃの昇圧比の低下を防止することができる。さらに、第１の周波数範囲Δ１から第２の周波数範囲Δ２への駆動周波数の走査は、図８に示されるようにスプリアス周波数ｆｓ１，ｆｓ２をスキップして行われるので、イニシャル動作の開始時から画像形成動作の開始時までの時間（立ち上げ時間）を従来技術と比べて短縮することができる。
【００９２】
なお、高圧制御回路２６０内の各種レジスタ（たとえば、下限値レジスタ５２０、上限値レジスタ５２１、第１切替レジスタ５２３及び第２切替レジスタ５２４）に設定される値は、圧電トランス駆動回路３０３Ｋ，３０３Ｙ，３０３Ｍ，３０３Ｃの回路構成や、圧電トランス３０４Ｋ，３０４Ｙ，３０４Ｍ，３０４Ｃの製造バラツキや品種の違いなど応じて異なるものとなり、事前の試験結果に応じて最適値に決定されればよい。また、高圧制御回路２６０内の各種レジスタは、たとえば、不揮発性メモリにより構成されるが、これに限定されるものではなく、ＲＡＭ（Ｒａｎｄｏｍ  Ａｃｃｅｓｓ  Ｍｅｍｏｒｙ）で構成されてもよい。
【００９３】
実施の形態２．
次に、本発明に係る実施の形態２について説明する。実施の形態２の画像形成装置の構成は、高圧制御回路の構成を除いて、上記実施の形態１の画像形成装置１００の構成と同じである。
【００９４】
図１５は、実施の形態２のブラック画像用の高圧制御部２６０ＫＡの基本構成を示す図である。本実施の形態のイエロー画像用、マゼンタ画像用及びシアン画像用の他の高圧制御部の基本構成は、図１５の基本構成と同じであるため、その詳細な説明を省略する。本実施の形態の高圧制御部２６０ＫＡの構成は、図１５に示される第３切替レジスタ５２５と演算器５０８Ａの動作の一部とを除いて、上記実施の形態１の高圧制御部２６０Ｋの構成（図５）と同じである。図１６は、実施の形態２の圧電トランス３０４Ｋ，３０４Ｙ，３０４Ｍ，３０４Ｃの出力特性の一例を示す図である。
【００９５】
本実施の形態の高圧制御部２６０ＫＡは、実施の形態１の高圧制御部２６０Ｋと同様に、ディジタル電圧信号３１４Ｄで表される実測値が目標値よりも小さいとき（実測値＜目標値）に駆動周波数が低下して第２の周波数範囲Δ１の下限ｆａに到達すると、スプリアス周波数ｆｓ１，ｆｓ２をスキップして第２の周波数範囲Δ２ｂ内の切替周波数ｆｂに変化させる。その後も、実施の形態１の高圧制御部２６０Ｋと同様に、高圧制御部２６０ＫＡは、実測値が目標値に到達するまで駆動周波数を切替周波数ｆｂから段階的に低下させ、実測値が目標値に到達した後は、出力電圧が目標電圧に追従するように駆動周波数を変化させる。
【００９６】
本実施の形態の高圧制御部２６０ＫＡは、駆動周波数が上昇して第２の周波数範囲Δ２ｂの上限である切替周波数ｆｃ（≠ｆｂ）に到達すると、図１６に示されるように、スプリアス周波数ｆｓ１，ｆｓ２をスキップして第１の周波数範囲Δ１内の切替周波数ｆａに駆動周波数を変化させる。これにより、駆動周波数制御の実行中に目標電圧が変更されても、高圧制御部２６０ＫＡは、常にスプリアス周波数ｆｓ１，ｆｓ２を回避して第１の周波数範囲Δ１と第２の周波数範囲Δ２ｂとに属する駆動周波数の駆動パルスを生成することができる。
【００９７】
図１７は、実施の形態２の演算器５０８Ａによる制御方法の手順を概略的に示すフローチャートである。図１７の手順は、ステップＳ７０１，Ｓ７０２を除いて、図１４のステップＳ６０１〜Ｓ６１２と同じ手順を有する。なお、実施の形態１の場合と同様に、図１７の手順は、フローチャートで示されているが、たとえば、ハードウエア記述言語（ＨＤＬ）などの論理記述言語を用いて設計されたハードウェアにより実現され得る。
【００９８】
ステップＳ６０５では、演算器５０８は、１９ビットレジスタ５１４に格納されている分周比データＦＤの現在値（１９ビット値）からテーブルレジスタ５０４の出力値を減算して新たな分周比データを生成する。次いで、演算器５０８は、新たな分周比データの分周比整数部ＦＤ［１８：１０］の値ＦＤｉが切替周波数ｆｃに対応する第３切替値ＳＷｃ（＝Ｃ１７Ａｈｅｘ）と等しいか否かを判定する（ステップＳ７０１）。値ＦＤｉが第３切替値ＳＷｃ（＝Ｃ１７Ａｈｅｘ）と等しくないと判定されたとき（ステップＳ７０１のＮＯ）、ステップＳ６０９が実行される。
【００９９】
一方、駆動周波数が上昇して図１６の切替周波数ｆｃに到達したときに、分周比整数部ＦＤ［１８：１０］の値ＦＤｉが第３切替値ＳＷｃと等しいと判定される（ステップＳ７０１のＹＥＳ）。この場合、演算器５０８は、分周比データＦＤの分周比整数部ＦＤ［１８：１０］の値ＦＤｉを第１切替値ＳＷａ（＝１１Ｃｈｅｘ）に設定し且つ分周比少数部ＦＤ［９：０］の値ＦＤｄを０００ｈｅｘに設定して新たな分周比データを生成し（ステップＳ７０２）、この新たな分周比データＦＤを１９ビットレジスタ５１４に記憶させる（ステップＳ６１２）。この結果、図１６に示したように、駆動周波数は、スプリアス周波数ｆｓ１，ｆｓ２をスキップして第１の周波数範囲Δ１の切替周波数ｆａに変化する。
【０１００】
以上に説明したように実施の形態２に係る駆動周波数制御では、第１の周波数範囲Δ１内で駆動周波数が低下して切替周波数ｆａに到達したときは、駆動周波数は、スプリアス周波数ｆｓ１，ｆｓ２をスキップして第２の周波数範囲Δ２ｂ内の切替周波数ｆｂに切り替えられ、また、第２の周波数範囲Δ２ｂ内で駆動周波数が上昇して切替周波数ｆｃに到達したときは、駆動周波数は、スプリアス周波数ｆｓ１，ｆｓ２をスキップして第１の周波数範囲Δ１内の切替周波数ｆａに切り替えられる。このように駆動周波数を低下させる制御を実行する場合だけでなく、駆動周波数を上昇させる制御を実行する場合でも、常にスプリアス周波数ｆｓ１，ｆｓ２を回避することができる。このため、スプリアス周波数ｆｓ１，ｆｓ２またはこれらの近辺で圧電トランス３０４Ｋ，３０４Ｙ，３０４Ｍ，３０４Ｃを駆動することを確実に回避することが可能である。
【０１０１】
また、一般に、複数枚の記録媒体に対して連続的に画像形成する場合には、現像器と転写ローラとの間のニップ部に連続的に複数枚の記録媒体が搬送される。このような場合、従来技術では、現像器の直下のニップ部をある記録媒体が通過した時から次の記録媒体が到来するまでの間、圧電トランスへの駆動パルスの出力を停止させていた。よって、この間、圧電トランスは駆動されないため、低温環境下では、温度依存性を有する圧電トランスの出力特性がばらつくという問題があった。
【０１０２】
これに対し、本実施の形態では、目標電圧を０ボルトまたはこの近辺に設定することにより、駆動周波数の範囲を第２の周波数範囲Δ２ｂから第１の周波数範囲Δ１に切り替えることができる。このため、ニップ部を記録媒体１１０が通過した時から次の記録媒体１１０が到来するまでの間、振幅の小さい低電圧を転写バイアスとして供給することができる。したがって、圧電トランス３０４Ｋ，３０４Ｙ，３０４Ｍ，３０４Ｃの特性を安定化させ、昇圧比の低下を抑制することができる。
【０１０３】
さらに、本実施の形態では、駆動周波数を低下させた場合の駆動周波数の切替先である切替周波数ｆｂと、駆動周波数を上昇させた場合の駆動周波数の切替元である切替周波数ｆｃとは異なるように設定されている。仮に、切替周波数ｆｂ，ｆｃが同じであるとすると、目標電圧に対応する周波数と切替周波数ｆｂとが一致した場合あるいは互いに近接した場合に、駆動周波数が第１の周波数範囲Δ１と第２の周波数範囲Δ２ｂとの間を交互に行き来する発振現象が生ずる可能性がある。本実施の形態では、切替周波数ｆｂ，ｆｃが異なるので、発振現象を防止することができる。
【０１０４】
実施の形態３．
次に、本発明に係る実施の形態３について説明する。実施の形態３の画像形成装置の構成は、高圧制御回路の構成を除いて、上記実施の形態１の画像形成装置１００の構成と同じである。
【０１０５】
図１８は、実施の形態３のブラック画像用の高圧制御部２６０ＫＢの基本構成を示す図である。本実施の形態のイエロー画像用、マゼンタ画像用及びシアン画像用の他の高圧制御部の基本構成は、図１８の基本構成と同じであるため、その詳細な説明を省略する。本実施の形態の高圧制御部２６０ＫＢの構成は、図１８に示される第４切替レジスタ５２６と演算器５０８Ｂの動作の一部とを除いて、上記実施の形態２の高圧制御部２６０ＫＡの構成（図１５）と同じである。図１９は、実施の形態３の圧電トランス３０４Ｋ，３０４Ｙ，３０４Ｍ，３０４Ｃの出力特性の一例を示す図である。
【０１０６】
本実施の形態の高圧制御部２６０ＫＢは、実施の形態１の高圧制御部２６０Ｋと同様に、ディジタル電圧信号３１４Ｄで表される実測値が目標値よりも小さいとき（実測値＜目標値）に駆動周波数が低下して第２の周波数範囲Δ１の下限ｆａに到達すると、スプリアス周波数ｆｓ１，ｆｓ２をスキップして第２の周波数範囲Δ２ｂ内の切替周波数ｆｂに変化させる。その後も、実施の形態１の高圧制御部２６０Ｋと同様に、高圧制御部２６０ＫＡは、実測値が目標値に到達するまで駆動周波数を切替周波数ｆｂから段階的に低下させ、実測値が目標値に到達した後は、出力電圧が目標電圧に追従するように駆動周波数を変化させる。
【０１０７】
本実施の形態の高圧制御部２６０ＫＢは、駆動周波数が上昇して第２の周波数範囲Δ２ｂの上限である切替周波数ｆｃ（≠ｆｂ）に到達すると、図１９に示されるように、スプリアス周波数ｆｓ１，ｆｓ２をスキップして第１の周波数範囲Δ１内の切替周波数ｆｄ（≠ｆａ）に駆動周波数を変化させる。これにより、駆動周波数制御の実行中に目標電圧が変更されても、高圧制御部２６０ＫＡは、常にスプリアス周波数ｆｓ１，ｆｓ２を回避して第１の周波数範囲Δ１と第２の周波数範囲Δ２ｂとに属する駆動周波数の駆動パルスを生成することができる。
【０１０８】
図２０は、実施の形態３の演算器５０８Ｂによる制御方法の手順を概略的に示すフローチャートである。図２０の手順は、ステップＳ８０１を除いて、実施の形態２の図１７のステップＳ６０１〜Ｓ６１２，Ｓ７０１と同じ手順を有する。なお、実施の形態１の場合と同様に、図１７の手順は、フローチャートで示されているが、たとえば、ハードウエア記述言語（ＨＤＬ）などの論理記述言語を用いて設計されたハードウェアにより実現され得る。
【０１０９】
本実施の形態では、駆動周波数が上昇して図１９の切替周波数ｆｃに到達したときに、分周比整数部ＦＤ［１８：１０］の値ＦＤｉが第３切替値ＳＷｃと等しいと判定される（ステップＳ７０１のＹＥＳ）。この場合、演算器５０８は、分周比データＦＤの分周比整数部ＦＤ［１８：１０］の値ＦＤｉを第４切替値ＳＷｄ（＝１１Ａｈｅｘ）に設定し且つ分周比少数部ＦＤ［９：０］の値ＦＤｄを０００ｈｅｘに設定して新たな分周比データを生成し（ステップＳ７０２）、この新たな分周比データＦＤを１９ビットレジスタ５１４に記憶させる（ステップＳ６１２）。この結果、図１９に示したように、駆動周波数は、スプリアス周波数ｆｓ１，ｆｓ２をスキップして第１の周波数範囲Δ１の切替周波数ｆｄに変化する。
【０１１０】
以上に説明したように実施の形態３に係る駆動周波数制御では、駆動周波数を低下させた場合の駆動周波数の切替元である切替周波数ｆａと、駆動周波数を上昇させた場合の駆動周波数の切替先である切替周波数ｆｄとは異なるように設定されている。仮に、切替周波数ｆａ，ｆｄが同じであるとすると、目標電圧に対応する周波数と切替周波数ｆａとが一致した場合あるいは互いに近接した場合に、駆動周波数が第１の周波数範囲Δ１と第２の周波数範囲Δ２ｂとの間を交互に行き来する発振現象が生ずる可能性がある。本実施の形態では、切替周波数ｆａ，ｆｄが異なるので、発振現象を確実に防止することができる。
【０１１１】
実施の形態１〜３の変形例．
以上、図面を参照して本発明に係る種々の実施の形態について述べたが、これらは本発明の例示であり、上記以外の様々な形態を採用することもできる。たとえば、上記実施の形態１〜３では、駆動周波数は、スプリアス周波数ｆｓ１，ｆｓ２のすべてを１段階でスキップして第１の周波数範囲Δ１と第２の周波数範囲Δ２またはΔ２ｂとの一方から他方へ変化するが、これに限定されるものではない。スプリアス周波ｆｓ１，ｆｓ２の間に第３の周波数範囲（谷部）を設定して、駆動周波数が第１の周波数範囲Δ１から第３の周波数範囲へ変化した後に、第３の周波数範囲から第２の周波数範囲Δ２またはΔ２ｂへ変化するようにスプリアス周波数ｆｓ１，ｆｓ２を２段階でスキップさせることも可能である。また、スプリアス周波数が３点以上存在する場合には、Ｎ段階（Ｎは３以上の整数）でこれらスプリアス周波数をスキップさせてもよい。
【０１１２】
また、上記実施の形態１〜３の画像形成装置は、いわゆるカラータンデム方式の画像形成装置であるが、実施の形態１〜３の高圧電源装置は、モノクロ方式の画像形成装置にも適用することが可能である。また、実施の形態１〜３の高圧電源装置は、帯電工程や現像工程などの転写工程以外のバイアス源にも適用することが可能である。
【０１１３】
さらに、上記高圧制御回路２６０の構成の全部または一部は、ハードウェアで実現されてもよいし、あるいは、ＣＰＵ（中央演算装置）などのプロセッサに処理を実行させるプログラムで実現されてもよい。また、高圧制御回路２６０は、特定の用途向けに複数機能の回路を１つにまとめた集積回路であるエーシック（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、あるいは、ユーザが独自の論理回路を書き込むことができるゲートアレイの一種であるフィールド・プログラマブル・ゲート・アレイ（Ｆｉｅｌｄ  Ｐｒｏｇｒａｍｍａｂｌｅ  Ｇａｔｅ  Ａｒｒａｙ、ＦＰＧＡ）により構成されてもよい。
【符号の説明】
【０１１４】
１００  画像形成装置、  １０２Ｋ，１０２Ｙ，１０２Ｍ，１０２Ｃ  現像器、  １０３Ｋ，１０３Ｙ，１０３Ｍ，１０３Ｃ  ＬＥＤヘッド（露光部）、  １０４Ｋ，１０４Ｙ，１０４Ｍ，１０４Ｃ  トナーカートリッジ（現像剤収容体）、  １０５Ｋ，１０５Ｙ，１０５Ｍ，１０５Ｃ  転写ローラ、  １０６  駆動ローラ、  １０７  従動ローラ、  １０８  転写ベルト、  １１０  記録媒体、  １１１  クリーニングブレード、  １１２  クリーナー容器、  １１３  カセット、  １１４  ホッピングローラ、  １１５  ガイド、  １１６，１１７  レジストローラ、  １１８  定着器、  １１８Ａ  定着ローラ、  １１８Ｂ  加圧ローラ、  １１９  ガイド、  １２０  トレー、  １３２Ｋ，１３２Ｙ，１３２Ｍ，１３２Ｃ  感光体ドラム、  １３３Ｋ，１３３Ｙ，１３３Ｍ，１３３Ｃ  供給ローラ、  １３４Ｋ，１３４Ｙ，１３４Ｍ，１３４Ｃ  現像ローラ、  １３５Ｋ，１３５Ｙ，１３５Ｍ，１３５Ｃ  現像ブレード、  １３６Ｋ，１３６Ｍ，１３６Ｙ，１３６Ｃ  帯電ローラ、  １３７Ｋ，１３７Ｙ，１３７Ｍ，１３７Ｃ  クリーニングブレード、  １４０  媒体検出センサ、  １５０  サーミスタ、  １５１  定着器ヒータ（熱源）、  ２００  制御回路、  ２５０  ホストインタフェース部、  ２５１  画像処理部、  ２５２  ＬＥＤヘッドインタフェース部、  ２５３  プリンタエンジン制御部、  ２５４  ホッピングモータ、  ２５５  レジストモータ、  ２５６  ベルトモータ、  ２５７  定着器ヒータ用モータ、  ２５８  ドラムモータ、  ２６０  高圧制御回路、  ２６０Ｋ，２６０ＫＡ，２６０ＫＢ，２６０Ｙ，２６０Ｍ，２６０Ｃ，  高圧制御部、  ２６１  帯電バイアス発生部、  ２６２  現像バイアス発生部、  ２６３  転写バイアス発生部、  ３０１  高圧電源装置、  ３０２  ＤＣ電源、  ３０３Ｋ，３０３Ｙ，３０３Ｍ，３０３Ｃ  圧電トランス駆動回路、  ３０４Ｋ，３０４Ｙ，３０４Ｍ，３０４Ｃ  圧電トランス、  ３０５Ｋ，３０５Ｙ，３０５Ｍ，３０５Ｃ  整流回路、  ３０６Ｋ，３０６Ｙ，３０６Ｍ，３０６Ｃ  負荷、  ３０７Ｋ，３０７Ｙ，３０７Ｍ，３０７Ｃ  電圧変換回路、  ３１０  出力制御信号、  ３１１Ｋ，３１１Ｙ，３１１Ｍ，３１１Ｃ  データ信号、  ３１２Ｋ，３１２Ｙ，３１２Ｍ，３１２Ｃ  駆動パルス、  ３１４Ｋ，３１４Ｙ，３１４Ｍ，３１４Ｃ  アナログ電圧信号、  ３１４Ｄ  ディジタル電圧信号、  ３４０  シリアル通信手段、  ３５０Ｋ，３５０Ｙ，３５０Ｍ，３５０Ｃ  転写バイアス発生回路、  ４０１  オートトランス、  ４０２  Ｎチャネル型パワーＭＯＳＦＥＴ、  ４０３，４０８，４０９，４１０  抵抗素子、  ４０４，４０７，４１２  コンデンサ、  ４０５，４０６  高耐圧整流ダイオード、  ４１３  オペアンプ、  ４１８  電源、  ４１９  水晶発振器、  ５００  Ａ／Ｄ変換器（ＡＤＣ）、  ５０４  テーブルレジスタ、  ５０６  タイマ回路、  ５０７  周期値レジスタ、  ５０８，５０８Ａ，５０８Ｂ  演算器、  ５１０  比較器、  ５１３  パルス生成回路、  ５１４  １９ビットレジスタ、  ５１５  加算器、  ５１６  分周セレクタ、  ５１７  分周器、  ５１８  誤差保持レジスタ回路、  ５１９  出力セレクタ、  ５２０  下限値レジスタ、  ５２１  上限値レジスタ、  ５２３  第１切替レジスタ、  ５２４  第２切替レジスタ、  ５２５  第３切替レジスタ、  ５２６  第４切替レジスタ。
【図１】
0005806861.tif 000002
【図２】
0005806861.tif 000003
【図３】
0005806861.tif 000004
【図４】
0005806861.tif 000005
【図５】
0005806861.tif 000006
【図６】
0005806861.tif 000007
【図７】
0005806861.tif 000008
【図８】
0005806861.tif 000009
【図９】
0005806861.tif 000010
【図１０】
0005806861.tif 000011
【図１１】
0005806861.tif 000012
【図１２】
0005806861.tif 000013
【図１３】
0005806861.tif 000014
【図１４】
0005806861.tif 000015
【図１５】
0005806861.tif 000016
【図１６】
0005806861.tif 000017
【図１７】
0005806861.tif 000018
【図１８】
0005806861.tif 000019
【図１９】
0005806861.tif 000020
【図２０】
0005806861.tif 000021